(57)【特許請求の範囲】
【請求項１】
無線端末（３００）を動作させる方法であって、
ページング間隔中にページング指標信号を伝達するために使用されるページング指標リソースのセットの一部を監視することであって、ここで、個々のページング指標リソースは１つ又はそれ以上の相当する機器へ割り当てる、監視することと、
ページング指標リソースの前記セットの前記監視される部分上で検知されるページング指標信号の数を決定することと、
検知されるページング指標信号の前記決定される数に基づいて前記ページング間隔中にページング指標信号を送信するか否かの決定を行うことと、
前記決定がページング指標信号を送信しないことである場合前記ページング間隔中にページを送信することに関連する活動を終了させることと、
を備える方法。
【請求項２】
各ページング指標信号は、意図されるページング信号送信の指示を伝達し、
前記方法は、
ページング信号が送信されるべきである場合、称されるためのページングシグナリングリソースに相当するページング指標リソース上で伝達される信号のエネルギーを測定することと、
をさらに備える、請求項１に記載の方法。
【請求項３】
各ページング指標リソースは、単一のＯＦＤＭトーンシンボルである、
請求項２に記載の方法。
【請求項４】
ページング指標信号を送信するか否かの前記決定はまた、前記測定されるエネルギーに基づき、
ページング指標信号を送信するか否かの前記決定は、ページング成功の可能性を示す格納される統計上の情報にさらに基づく、
請求項２に記載の方法。
【請求項５】
ページング指標信号を送信するか否かの前記決定は、無線端末（３００）が、無線端末（３００）がページングしようとする機器（１０４）へページング指標信号を送信することを待っている時間の量にさらに基づく、
請求項３に記載の方法。
【請求項６】
多数のページング指標リソースは同一のページングシグナリングリソースに相当し、ここで、前記多数のページング指標リソースの少なくともいくつかは異なる送信時間スロットにおいて生じる同一のページングシグナリングリソースに相当し、前記異なる送信時間スロットの少なくとも１つは、前記監視することの後に続く、
請求項１に記載の方法。
【請求項７】
ページング間隔中にページング指標信号を伝達するために使用されるページング指標リソースのセットの一部を監視するための手段（４０８）であって、ここで、個々のページング指標リソースは１つ又はそれ以上の相当する機器へ割り当てる、手段（４０８）と、
ページング指標リソースの前記セットの前記監視される部分上で検知されるページング指標信号の数を決定するための手段（４１２）と、
検知されるページング指標信号の前記決定される数に基づいて前記ページング間隔中にページング指標信号を送信する否かの決定を行うための手段（４２８）と、
前記決定がページング指標信号を送信しないことである場合、前記ページング間隔中にページを送信することに関連する活動を終了させるための手段（４３９）と、
を備える無線端末（３００）。
【請求項８】
各ページング指標信号は、意図されるページング信号送信の指示を伝達し、
前記無線端末（３００）は、
ページング信号が送信されるべき場合に使用されるページングシグナリングリソースに相当するページング指標リソース上で伝達される信号のエネルギーを測定するための手段（４１４）と、
をさらに備える請求項７に記載の無線端末（３００）。
【請求項９】
各ページング指標リソースは、単一のＯＦＤＭトーンシンボルである、
請求項８に記載の無線端末（３００）。
【請求項１０】
決定を行うための前記手段（４２８）は、前記測定されるエネルギーに基づいてページング指標信号を送信するか否かの決定を行うための手段（４３０）を含み、
ページング指標信号を送信するか否かの前記決定は、ページング成功の可能性を示す格納される統計上の情報にさらに基づく、
請求項８に記載の無線端末（３００）。
【請求項１１】
無線端末（３００）における使用のためのコンピュータ可読記憶媒体において、
ページング間隔中に少なくとも１つのコンピュータ（３０２）に、ページング指標信号を伝達するために使用されるページング指標リソースのセットの一部を監視させるためのコード（４０８）であって、ここで、個々のページング指標リソースは１つ又はそれ以上の相当する機器へ割り当てる、コード（４０８）と、
前記少なくとも１つのコンピュータ（３０２）に、ページング指標リソースの前記セットの前記監視される部分上で検知されるページング指標信号の数を決定させるためのコード（４１２）と、
前記少なくとも１つのコンピュータ（３０２）に、検知されるページング指標信号の前記決定される数に基づいてページング指標信号を送信するか否かの決定をさせるためのコード（４２８）と、
前記少なくとも１つのコンピュータ（３０２）に、前記決定がページング指標信号を送信しないことである場合、前記ページング間隔中にページを送信することに関連する活動を終了させるためのコード（４３９）と、
を備えるコンピュータ可読記憶媒体（３０４）。
【請求項１２】
ページング間隔中にページング指標信号を伝達するために使用されるページング指標リソースのセットの一部を監視するためであって、ここで、個々のページング指標リソースは１つ又はそれ以上相当する機器を割り当てる、監視するためと、
ページング指標リソースの前記セットの前記監視される部分上で検知されるページング指標信号の数を決定するためと、
検知されるページング指標信号の決定される数に基づいて前記ページング間隔中にページング指標信号を送信するか否かの決定を行うためと、
前記決定がページン指標信号を送信しないことである場合、前記ページング間隔中にページを送信することに関連する活動を終了させるために、
構成される少なくとも１つのプロセッサ（３０２）と、
前記少なくとも１つのプロセッサに接続されるメモリ（３０４）と、
を備える無線端末（３００）。
【請求項１３】
各ページング指標信号は、意図されるページング信号送信の指示を伝達し、
前記少なくとも１つのプロセッサ（３０２）は、ページング信号が送信されるべきである場合に使用されるページングシグナリングリソースに相当するページング指標リソース上で伝達される信号のエネルギーを測定するためにさらに構成される、
請求項１２に記載の無線端末（３００）。
【請求項１４】
各ページング指標リソースは、単一のＯＦＤＭトーンシンボルである、
請求項１３に記載の無線端末（３００）。
【請求項１５】
前記少なくとも１つのプロセッサ（３０２）は、ページング指標信号を送信するか否かの前記決定を前記測定されるエネルギーに基づかせ、
前記少なくとも１つのプロセッサ（３０２）は、ページング成功の可能性を示す格納される統計上の情報に、ページング指標信号を送信するか否かの前記決定を基づかせるためにさらに構成される、
請求項１３に記載の無線端末（３００）。
【請求項１６】
無線端末（１１００）を動作させる方法であって、
ページング指標信号を送信することにおいて使用するためのページング指標リソースを識別することと、
ページ優先順位を示すページング指標信号を、前記識別されるページング指標リソース上で送信することと、
前記識別されるページング指標リソースに相当するページングシグナリングリソースを使用するページング信号を送信するか否かの決定を、前記ページ優先順位に基づいて、行うことと、
を備える方法。
【請求項１７】
前記ページング指標信号を送信することの前に前記ページ優先順位を決定することをさらに備える、
請求項１６に記載の方法。
【請求項１８】
前記ページングシグナリングリソースに相当する追加のページング指標リソース上で他の機器（１０４、１０６）によって送信されるページング指標信号を受信することと、
前記決定されるページ優先順位よりも高い優先順位を持つ前記受信されるページング指標信号の数を計数することと、
をさらに備え、
ページング信号を送信するか否かの決定を行うことはまた、前記決定されるページ優先順位よりも高い優先順位を持つ受信されるページング指標信号の前記計数される数に基づく、
請求項１７に記載の方法。
【請求項１９】
前記ページングシグナリングリソースに相当する追加のページング指標リソース上で他の機器（１０４、１０６）によって送信されるページング指標信号を受信することと、
前記決定されるページ優先順位と同一であり、前記ページング指標信号が送信されるページング指標リソースブロックにおいて前記ページング指標信号の送信の前に受信される優先順位を持つ前記受信される指標信号の数を計数することと、
を備え、
ページング信号を送信するか否かの決定を行うことはまた、前記決定されるページ優先順位と同一である優先順位を持つ受信されるページング指標信号の前記計数される数に基づく、
請求項１７に記載の方法。
【請求項２０】
前記ページングシグナリングリソースに相当する追加のページング指標リソース上で他の機器（１０４、１０６）によって受信されるページング指標信号を受信することと、
を備え、
ページング信号を送信するか否かの決定を行うことは、前記ページングシグナリングリソースに相当する追加のページング指標リソース上で他の機器（１０４、１０６）によって送信される検知されるページング指標信号の前記受信される信号の強度に基づく、
請求項１６に記載の方法。
【請求項２１】
ページング信号を送信するか否かの決定を行うことはまた、ページング信号が観測される信号状況に基づいて送信される場合予期されるページングに関する統計上の情報に基づく、
請求項１６に記載の方法。
【請求項２２】
ページング指標信号を送信することにおいて使用されるためのページング指標リソースを識別するための手段（１２０４）と、
ページ優先順位を示すページング指標信号を、前記識別されるページング指標リソース上で送信するための手段（１２１０）と、
前記識別されるページング指標リソースに沿うとするページングシグナリングリソースを使用するページング信号を送信するか否かの決定を、前記ページ優先順位に基づいて、行うための手段（１２２２）と、
を備える無線端末（１１００）。
【請求項２３】
前記ページング指標信号を送信することの前に前記ページ優先順位を決定するための手段（１２０６）をさらに備える、
請求項２２の無線端末（１１００）。
【請求項２４】
前記ページングシグナリングリソースに沿うとする追加のページング指標リソース上で他の機器（１０４、１０６）によって送信されるページング指標信号を受信するための手段（１２１２）と、
前記決定されるページ優先順位より高い優先順位を持つ前記受信されるページング指標信号の数を計数するための手段（１２１６）と、
をさらに備え、
ページング信号を送信するか否かの決定を行うための前記手段（１２２２）はまた、前記決定を、前記決定されるページ優先順位よりも高い優先順位を持つ受信されるページング指標信号の前記計数される数に基づかせる、
請求項２３に記載の無線端末（１１００）。
【請求項２５】
前記ページングシグナリングリソースに相当する追加のページング指標リソース上で他の機器（１０４、１０６）によって送信されるページング指標信号を受信するための手段（１２２２）と、
前記決定されるページ優先順値と同一であり、前記ページング指標信号が送信されるページング指標リソースブロックにおいて前記ページング指標信号の送信の前に受信される優先順位を持つ前記受信されるページング指標信号の数を計数するための手段（１２１８）と、
をさらに備え、
ページング信号を送信するか否かの決定を行うための前記手段（１２２２）はまた、その決定を、前記決定されるページ優先順位を同一である優先順位を持つ受信されるページング指標信号の前記計数される数に基づかせる、
請求項２３に記載の無線端末（１１００）。
【請求項２６】
無線端末における使用のためのコンピュータ可読記憶媒体であって、
少なくとも１つのコンピュータ（１１０２）に、ページング指標信号を送信することにおいて使用するためのページング指標リソースを識別させるためのコード（１２０４）と、
前記少なくとも１つのコンピュータ（１１０２）に、ページ優先順位を示すページング指標信号を、前記識別されるページング指標リソース上で送信させるためのコード（１２１０）と、
前記少なくとも１つのコンピュータ（１１０２）に、前記識別されるページング指標リソースに相当するページングシグナリングリソースを使用するページング信号を送信するか否かの決定を行わせるためのコード（１２１０）と、
を備えるコンピュータ可読記憶媒体（１１０４）。
【請求項２７】
ページング指標信号を送信することにおいて使用するためのページング指標リソースを識別するためと、
ページ優先順位を示すページング指標信号を、前記識別されるページング指標リソース上で送信するためと、
前記識別されるページング指標リソースに相当するページングシグナリングリソースを使用するページング信号を送信するか否かの決定を、前記ページ優先順位に基づいて、行うために、
構成される少なくとも１つのプロセッサ（１１０２）と、
前記少なくとも１つのプロセッサと接続されるメモリ（１１０４）と、
を備える無線端末（１１００）。
【請求項２８】
前記少なくとも１つのプロセッサ（１１０２）は、前記ページング指標信号を送信することの前に前記ページ優先順位を決定するために構成される、
請求項２７に記載の無線端末（１１００）。
【請求項２９】
前記少なくとも１つのプロセッサ（１１０２）は、
前記ページングシグナリングリソースに相当する追加のページング指標リソース上で他の機器（１０４、１０６）によって送信されるページング指標信号を受信するためと、
前記決定されるページ優先順位よりも高い優先順位を持つ前記受信されるページング指標信号の数を計数するために、
さらに構成され、
前記少なくとも１つのプロセッサ（１１０２）は、ページング信号を送信するか否かの決定を行うために構成されることの一部として、ページング信号を送信するか否かの前記決定を、前記決定されるページ優先順ウィよりも高い優先順位を持つ受信されるページング指標信号の前記計数される数に基づかせる、
請求項２８に記載の無線端末（１１００）。
【請求項３０】
前記少なくとも１つのプロセッサ（１１０２）は、
前記ページングシグナリングリソースに相当する追加のページング指標リソース上で他の機器（１０４、１０６）によって送信されるページング指標信号を受信するためと、
前記決定されるページ優先順位と同一であり、前記ページング指標信号が送信されるページング指標リソースブロックにおいて前記ページング指標信号の送信の前に受信される優先順位を持つ前記受信されるページング指標信号の数を計数するために、
さらに構成され、
前記少なくとも１つのプロセッサ（１１０２）は、ページング信号を送信するか否かを決定するために構成されることの一部として、ページング信号を送信するか否かの決定を、前記決定されるページ優先順位と同一の優先順位を持つ受信されるページング指標信号の前記計数される数に基づかせる、
請求項２８に記載の無線端末（１１００）。
【発明の詳細な説明】
【技術分野】
【０００１】
様々な実施例は、無線通信に関連し、より具体的には、方法及び装置、たとえば、混雑を考慮し得る方法及び装置をページングすることに関連する。
【背景技術】
【０００２】
多くの無線通信システムにおいて、ページングのために割り当てられる無線リンクリソースの限られた量がある。集中制御を欠くピアツーピアシステムにおいて、機器は、たとえば、他のものとの接続を確立するため、ピアツーピアページングの直接使用を頻繁に行い得る。ページングに利用可能な無線リンクリソースの限られた量のため、ページングのために割り当てられる無線リンクリソースの少なくともいくつかは、共有されるリソースであり得る。このページングリソースを共有することは、衝突及びページング信号の再送信のための必要を生じさせることができる通信されるページング信号を回復させることができないことを導く傾向にある。したがって、混雑を原因とする衝突は、再送信動作及び／又は監視動作を原因とする限定されたバッテリパワーの無駄な支出を生じさせ得る。
【０００３】
要求、および、したがってシステムにおいてローディングをページングすることに関連する衝突のレベル、は、個別の近傍にある現在の機器の数、活動、使用されるアプリケーションのタイプ、一日の時間、イベントなどの結果として徐々に変化し得る。ページングリソース割り当て関する集中制御を欠くいくつかのシステムにおいて、渋滞の状況は、ページングチャンネルに関する高衝突時間で置き得る。高衝突時間中では、ページングメッセージは、互いに干渉し、それらの一部のみが通じることができることは可能である。機器が他の１つを効率的にページングすることができない場合、所望の接続は、確率され得、ピア間のトラフィックフローは、受領可能なレベルで維持されることが不可能であり得る。
【０００４】
上の議論に基づいて、新しい及び／又は改善されるページング方法及び装置のために必要がある。新しい及び／又は改善されるページング方法及び装置のすくなくともいくつかが、シグナリング衝突を考慮し、干渉を減少させ、及び／又は知られているページング技術上での電力消費の観点における改善を供給する場合、利益があるだろう。
【発明の概要】
【０００５】
様々な実施例は、無線通信システムにおけるページングに向けられ、より具体的には、要素及び／又は指標に関連する少なくともいくつかの衝突を考慮することができるページング方法及び／又は装置に向けられる。様々な記述される方法及び装置は、ピアツーピア無線通信システム、たとえば、決定が非集中方法において行われるホックピアツーピア無線ネットワーク、における使用のためによく適用される。様々な実施例は、衝突制御メカニズムを使い、ここで、それは、無線端末、たとえば、モバイル、は、行われる他のページング活動を監視しそれによって衝突の兆候を供給し、及び、監視の結果に基づいてページングに関するバックオフ、たとえば、柔軟な、決定をする。様々な例示の実施例に従って柔軟な管理されたページは、送信されるページングメッセージが向けられる受領者によって首尾よく回復されるだろう見込みを上昇させるより効果的な通信を容易にする。加えて、様々な記述される方法及び装置は、ページングメッセージの再送信の量を減少させること及び／又は無線端末が休止し得る時間の量を上昇させることによってバッテリリソースを保存する傾向にある。
【０００６】
様々な例示の方法及び装置は、マルチステージページング方法を使用する。第１時間間隔中に、ページング指標信号は、ページング信号を送信するつもりである機器によってページング指標リソース上で送信される。第２時間間隔ページング中に、信号は、ページングシグナリングリソース上で送信される。様々な実施例において、ページング指標リソースは、ページが向けられ得る無線端末に相当し、多数のページング指標リソースは、同一のページングシグナリングリソースに相当する。
【０００７】
ページング指標信号は、ページングシグナリングリソース、たとえば、７つ又はそれ以上のＯＦＤＭトーンシンボルを使用する、と比較すると、無線リンクリソース、たとえば、１つ又は２つのＯＦＤＭトーンシンボル、の比較的小さな量を使用して通信される。ページング指標信号は、向けられるページング信号送信の兆候を伝達する。様々な実施例において、ページング指標信号は、ページング指標信号がページング指標リソース内でページング指標信号の位置によって向けられている機器を間接的に識別する。いくつかの実施例において、ページング指標信号は、ページ優先、たとえば、４つのあり得る優先レベルの１つ、を伝達する。様々な実施例において、ページング信号は、ページングメッセージ、たとえば、メッセージにおいて直接埋め込まれる機器識別子情報を含むページングメッセージ、を伝達する。
【０００８】
無線端末は、ページング指標信号が送信されていない間に生じたページング指標シグナリングを監視し、たとえば、無線端末は、向けられる信号上の信号強度を測定し、他の無線端末へ向けられるページング指標信号の数を計数し、及び、他のページング指標信号に関する優先情報を考慮する。ページング信号を送信することを望む無線端末は、ページング指標シグナリング間隔中に、ページング指標信号を送信するか否か、及び／又は、他の機器の探知されるページング活動に基づいてページング信号を送信するか否かの決定を行う。
【０００９】
いくつかの実施例に従った無線端末を動作させる例示の方法は、ページング指標信号を伝達するために使用されるページング指標リソースのセットの１部を監視すること、ページング指標リソースの前記セットの前記監視される部分上で検知されるページング指標信号の数を決定すること、及び、検知されるページング指標信号の決定される数に基づいてページング指標信号を送信するか否かの決定を行うことを含む。いくつかのその様な実施例における個々のページング指標リソースは、１つ又はそれ以上の相当する機器へ割り当てられる。
【００１０】
いくつかの実施例に従って例示の無線端末は、ページング指標信号を伝達するために使用されるページング指標リソースのセットの１部及び１つ又はそれ以上の相当する機器を割り当てる個々のページング指標リソースを監視する、ページング指標リソースの前記セットの前記監視される部分上で検知されるページング指標信号の数を決定する、及び、検知されるページング指標信号の決定される数に基づいてページング指標信号を送信するか否かの決定を行うために構成される少なくとも１つのプロセッサを備える。例示の無線端末は、前記少なくとも１つのプロセッサに接続されるメモリをさらに備える。
【００１１】
いくつかの実施例に従って無線端末を動作させる例示の方法は、ページング指標信号を送信することにおいて使用するページング指標リソースを識別すること、識別されるページング指標リソース上でページング指標信号を送信すること、及び、前記識別されるページング指標リソースに相当するページングシグナリングリソースを使用するページング信号を送信するか否かの決定を行うことを備える。いくつかの実施例に従って例示の無線端末は、ページング指標信号を送信することにおいて使用するページング指標リソースを識別する、識別されるページング指標リソース上でページング指標信号を送信する、及び、前記識別されるページング指標リソースに相当するページングシグナリングリソースを使用するページング信号を送信するか否かの決定を行うために構成される少なくとも１つのプロセッサを備える。例示の無線端末は、前記少なくとも１つのプロセッサと接続されるメモリをさらに備える。
【００１２】
様々な実施例は上に概要において議論されているが、必ずしも全ての実施例は同一の特徴を含むものではなく、上に記述される特徴のいくつかは必要ないが、いくつかの実施例において望ましいものであることができることは、認識されるべきである。多数の追加的な特徴、実施例及び様々な実施例の利益は、次に続く詳細な記述において議論される。
【図面の簡単な説明】
【００１３】
【図１】図１は、例示の実施例に従った例示のピアツーピア通信システムの図である。
【図２】図２は、様々な例示の実施例に従って無線端末を動作させる例示の方法のフローチャートである。
【図２Ａ】図２Ａは、様々な例示の実施例に従って無線端末を動作させる例示の方法のフローチャートの第１部分である。
【図２Ｂ】図２Ｂは、様々な例示の実施例に従って無線端末を動作させる例示の方法のフローチャートの第２部分である。
【図２Ｃ】図２Ｃは、様々な例示の実施例に従って無線端末を動作させる例示の方法のフローチャートの第２部分である。
【図３】図３は、例示の躯体的表現に従った例示の無線端末の図である。
【図４】図４は、図３に示される無線端末において使用されることができ、いくつかの実施例においてされるモジュールの部品である。
【図４Ａ】図４Ａは、図３に示される無線端末において使用されることができ、いくつかの実施例においてされるモジュールの部品の第１部分である。
【図４Ｂ】図４Ｂは、図３に示される無線端末において使用されることができ、いくつかの実施例においてされるモジュールの部品の第２部分である。
【図４Ｃ】図４Ｃは、図３に示される無線端末において使用されることができ、いくつかの実施例においてされるモジュールの部品の第３部分である。
【図５】図５は、いくつかの実施例に従ってタイミング構造を再発する例示のピアツーピアの一部を示す図である。
【図６】図６は、例示の具体的態様に従って図５の例示の無線リンクリソースをさらに分割することを示す図である。
【図７】図７は、いくつかの実施例に従って、複数の個々のページング指標リソースが同一のページングシグナリングリソースに相当し、ページングシグナリングリソースがページング応答リソースに相当することを示す図である。
【図８】図８は、ページング指標リソースのそれぞれがいくつかの実施例に従って機器識別子に割り当てられることを示す図である。
【図９】図９は、無線端末が、図５−８において示されるタイミング構造を使用し及び図２に従って例示の方法を実施する例示のピアツーピアシステムにおいて他の無線端末をページングすることを望む例を示す図である。
【図１０】図１０は、例示の実施例に従って無線端末を動作させる例示の奉納のフローチャートである。
【図１０Ａ】図１０Ａは、例示の実施例に従って無線端末を動作させる例示の奉納のフローチャートの第１部分である。
【図１０Ｂ】図１０Ｂは、例示の実施例に従って無線端末を動作させる例示の奉納のフローチャートの第２部分である。
【図１１】図１１は、例示の実施例に従った例示の無線端末の図である。
【図１２】図１２は、図１１に示される無線端末において使用されることができ、いくつかの実施例においてされるモジュールである。
【図１２Ａ】図１２Ａは、図１１に示される無線端末において使用されることができ、いくつかの実施例においてされるモジュールの部品の第１部分である。
【図１２Ｂ】図１２Ｂは、図１１に示される無線端末において使用されることができ、いくつかの実施例においてされるモジュールの部品の第２部分である。
【図１３】図１３は、いくつかの実施例に従ったタイミング構造再発する例示のピアツーピアの一部を示す図である。
【図１４】図１４は、例示の実施例に従って図１３の例示のリンクリソースをさらに分割することを示す図である。
【図１５】図１５は、いくつかの実施例に従って、複数の個々のページング指標リソースが同一のページングシグナリングリソースに対応すること、及びページングシグナリングリソースがページング応答リソースに対応することを示す図である。
【図１６】図１６は、ページング指標リソースのそれぞれがいくつかの実施例に従って機器識別子に割り当てられることを示す図である。
【図１７】図１７は、無線端末が、図１４−１６において示されるタイミング構造を使用し及び図１０に従った例示の方法を実施する例示のピアツーピアシステムにおいて他の無線端末をページングすることを望む例を示す図である。
【図１８】図１８は、例示の実施例に従って無線端末を動作させる例示の方法のフローチャートである。
【図１８Ａ】１８Ａは、例示の実施例に従って無線端末を動作させる例示の方法のフローチャートの第１部分である。
【図１８Ｂ】１８Ｂは、例示の実施例に従って無線端末を動作させる例示の方法のフローチャートの第２部分である。
【図１８Ｃ】図１８Ｃは、例示の実施例に従って無線端末を動作させる例示の方法のフローチャートの第３部分である。
【図１８Ｄ】図１８Ｄは、例示の実施例に従って無線端末を動作させる例示の方法のフローチャートの第４部分である。
【図１８Ｅ】図１８Ｅは、例示の実施例に従って無線端末を動作させる例示の方法のフローチャートの第５部分である。
【図１８Ｆ】図１８Ｆは、例示の実施例に従って無線端末を動作させる例示の方法のフローチャートの第６部分である。
【図１８Ｇ】図１８Ｇは、例示の実施例に従って無線端末を動作させる例示の方法のフローチャートの第７部分である。
【詳細な説明】
【００１４】
図１は、例示の実施例に従った例示の無線ピアツーピア通信システム１００の図である。例示の無線ピアツーピア通信システム１００は、複数の無線通信機器（機器１  １０２、機器２  １０４、機器３  １０６、機器４  １０８、機器５  １１０、機器６  １１２、機器７  １１４、機器８  １１６、機器９  １１８、．．．、機器Ｎ  １２０を含む。システム１００における無線通信機器のいくつか、たとえば機器７  １１４、は、インターネット及び／又は他のネットワークノードへのインターフェイス１２２を含む。システム１００における無線通信機器のいくつか、たとえば、機器１  １０２、機器２  １０４、機器３  １０６、機器４  １０８、機器５  １１０、機器６  １１２、機器８  １１６、機器９  １１８及び機器Ｎ  １２０、は、モバイル無線通信機器、たとえば、ハンドヘルドモバイル機器、である。
【００１５】
システム１００における無線通信機器は、たとえば、ダイレクトピアツーピア通信をサポートする無線端末である。システム１００における無線通信機器は、ダイレクトピアツーピアページングをサポートする。例示のシステム１００において機器によって使用されるピアツーピアページングプロトコルは、ページング指標無線リンクリソースを使用するページング指標シグナリング及びページングシグナリング無線陸リソースを使用するページングシグナリングを含む。いくつかのその様な実施例において、ピアツーピアページングプロトコルはまた、ページング応答シグナリングリソースを使用するページング応答シグナリングを含みもする。
【００１６】
図２Ａ、図２Ｂ及び図２Ｃの組み合わせから成る図２は、例示の実施例に従った無線端末を動作させる例示の方法のフローチャート２００である。動作は、ステップ２０１において始まり、ここで、無線端末は、電源を入れられ初期化され、ステップ２０２へ進む。ステップ２０２において、無線端末は、それがページングすることを望む機器があるか決定する。ページングされるための機器がある場合、そのとき動作は、ステップ２０２からステップ２０４へ進み、しかしながらページングされるための機器がない場合、そのとき動作は接続ノードＣ２２０を通じてステップ２０２からステップ２５２へ進む。
【００１７】
ステップ２０４に戻ると、ステップ２０４において無線端末は、ページングされるための機器へページング指標信号を伝達するために利用されるための、ページングされるための機器に割り当てられる、ページング指標リソースを識別する。動作は、ステップ２０４からステップ２０６へ進む。ステップ２０６において無線端末は、識別されるステップ２０４のページング指標リソースがページング指標リソースブロックの第１シンボルにあるか否か決定する。識別されるステップ２０４のページング指標リソースがページング指標リソースブロックの第１シンボルにある場合、そのとき動作は２０６から、無線端末がページング指標信号を送信することを望むステップ２２２へ進む。動作は、ステップ２２２から接続ノードＢ２２４を通じてステップ２４０へ進む。ステップ２０６に戻ると、ステップ２０６において、識別されるステップ２０４のページング指標リソースがページング指標リソースブロックの第１シンボルにない場合、そのとき動作はステップ２０６からステップ２０８へ進む。
【００１８】
ステップ２０８において無線端末は、ページング指標信号を伝達するために使用されるページングリソースのセットの一部を監視する。個々のページング指標リソースは、１つ又はそれ以上の対応する機器に割り当てる。いくつかの実施例において、異なる個々のページング指標リソースは、異なる対応する機器に割り当てる。ページング指標リソースブロックにおける多数の個々のページング指標リソースは、同一のページングシグナリングリソースに相当する。様々な実施例において、ページ指標リソースは、対応するページングシグナリング応答リソースを持つ。様々な実施例において、多数のページング指標リソースは、同一のページングシグナリングリソースに相当し、同一のページングシグナリングリソースに相当する前記多数のページング指標リソースの少なくともいくつかは、異なる送信時間スロットにおいて生じ、前記異なる送信時間スロットの少なくとも１つは、前記監視することをフォローする。様々な実施例において、前記ページング指標リソースは、信号ＯＦＤＭトーンシンボルである。
【００１９】
ステップ２０８は、無線端末は、他の機器に割り当てられる、ページング信号が呼びだされるための機器へ送信されるべき場合に使用されるためのページングシグナリングリソースに相当するページング指標リソースを識別するステップ２１０を含む。様々な実施例において、識別されるステップ２１０のページング指標リソースは、ページングシグナリングがページングされるための機器へ送信されるべきである場合に使用されるためのページングシグナリングリソースに相当する、ページング指標リソースブロックにおいて識別されるステップ２０４のページング指標リソースより一時的に先に来る他の機器に割り当てられるそれらページング指標リソースである。様々な実施例において、識別されるステップ２１０のページング指標リソースは、ステップ２０８のページング指標リソースのセットの監視される一部である。
【００２０】
動作は、ステップ２０８からステップ２１２及び２１４へ進む。ステップ２１２において無線端末は、ページング指標リソースの前記セットの前記監視される部分上で探知されるページング指標信号の数を決定する。ステップ２１４において無線端末は、ページが送信された場合に使用されるためのページングシグナリングリソースに相当するページング指標リソース上で伝達される信号のエネルギーを測定する。動作は、ステップ２１２及び２１４からステップ２１６へ進む。
【００２１】
ステップ２１６において無線端末は、ページング指標信号が送信されページング信号が送信されることの成功の可能性を推定する。動作は、ステップ２１６から接続ノードＡを通じてステップ２２６へ進む。ステップ２２６において無線端末は、ページング指標信号を送信するか否かの決定を行う。ステップ２２６は、ステップ２２８を含み、ここでそれは、無線端末が、たとえばステップ２１２の決定から、探知されるページング指標信号の決定される数に基づいてページング指標信号を送信するか否かの決定を行う。いくつかの実施例において、ステップ２２６は、ステップ２３０、２３２、２３４及び２３６の１つ若しくはそれ以上又は全てを含む。ステップ２３０において無線端末は、たとえばステップ２１４の測定から、測定されるエネルギーに基づいてページング指標信号をページング指標信号を送信するか否かの決定を行う。ステップ２３２において無線端末は、たとえばステップ２１６の推定から、ページングの成功の可能性を示す格納される統計的な情報に基づきページング指標信号を送信するか否かの決定を行う。ステップ２３４において無線端末は、無線端末が無線端末がページングしようとする機器へページング指標信号を送信することを待っている時間の量に基づいてページング指標信号を送信するか否かの決定を行う。ステップ２３６において無線端末は、ページの緊急に基づいてページング指標信号を送信するか否かの決定を行う。いくつかのそのような実施例において、無線端末は、無線端末とそれがページングしようとする機器の間で使用されるためのアプリケーションの結果として緊急を決定する。様々な例示のアプリケーションは、通信期限を持つゲームアプリケーション及び通信期限を持つビデオアプリケーションを含む。
【００２２】
動作は、ステップ２２６から、無線端末がステップ２２６の決定の結果として動作を制御するステップ２３８に進む。決定がページング指標信号を送信することである場合、そのとき動作は、ステップ２３８からステップ２４０へ進み、そうでなければ、動作は、ステップ２３８から、無線端末がこのページング間隔中にページを送信することに関連される活動を終了させるステップ２３９に進む。
【００２３】
ステップ２４０に戻ると、ステップ２４０において無線端末は、ページング指標信号を生成する。様々な実施例において、ページング指標信号は、単一トーン信号、たとえば１つのＯＦＤＭ変調シンボルを伝達する単一トーン信号、である。動作は、ステップ２４０から、無線端末が、識別されるページング指標リソース、たとえばページング指標リソースブロックにおける単一ＯＦＤＭトーンシンボル、を使用する生成されるページング指標信号を送信するステップ２４２へ進む。
【００２４】
動作は、ステップ２４２からステップ２４４へ進み、ここでそれは、無線端末がページング信号を生成する。そのとき、ステップ２４６において無線端末は、識別されるページング指標リソースに相当するページングシグナリングリソースを使用する生成されるページング信号を送信する。動作は、ステップ２４６からステップ２４８へ進む。ステップ２４８において無線端末は、ステップ２４６において使用されるページングシグナリングリソースに相当するページング信号応答リソースを監視する。ステップ２４８は、無線端末が、ページング信号が送信される機器からページング応答信号を受信するステップ２５０を含み得、時々行う。
【００２５】
ステップ２５２へ戻ると、ステップ２５２において無線端末は、無線端末へページング指標信号を伝達するために使用されるための、無線端末に割り当てられる、ページング指標リソースを識別する。そのとき、ステップ２５４において無線端末は、無線端末へページング指標信号を伝達するために使用されるための、無線端末に割り当てられる、識別されるページング指標リソースを監視する。ステップ２５４は、無線端末が、無線端末に対応するページング指標リソース上でページング指標信号を受信するステップ２５６を含み得、ときどき行う。動作は、ステップ２５４からステップ２５８へ進む。
【００２６】
ステップ２５８において無線端末は、ページング指標信号がステップ２５４の監視することによって探知されているか否かを決定する。ページング指標信号が探知されている場合、そのとき動作はステップ２５８からステップ２６０へ進み、そうでなければ、動作はステップ２５８から、無線端末がページングシグナリング間隔及び相当するページング応答シグナリング間隔中に休止しようとするように制御されるステップ２２６へ進む。
【００２７】
ステップ２６０へ戻ると、ステップ２６０において無線端末は、ステップ２５２の識別されるページング指標リソースに相当するページングシグナリングリソースを監視する。ステップ２６０は、ステップ２６２を含み得、時々行い、ここでそれは、無線端末は、監視されているページング信号リソース上でページング信号を受信する。動作は、ステップ２６０からステップ２６４へ進む。ステップ２６４において無線端末は、無線端末へ向けられる受信されるページング信号がステップ２６０の監視中に検知されたか否かを決定する。動作は、ステップ２６４からステップ２６７へ進む。無線端末へ向けられるページング信号が検知された場合、そのとき動作はステップ２６７からステップ２７０へ進み、そうでなければ、動作はステップ２６７から、無線端末がページングシグナリング間隔及び相当するページングシグナリング応答間隔の任意の残りの一部の間に休止しようとするように制御されるステップ２６８へ進む。
【００２８】
ステップ２７０に戻ると、ステップ２７０において無線端末は、ページング応答信号を送信するか否かを決定する。ステップ２７０は、ステップ２７１、２７２、２７４及び２７６を含む。ステップ２７１において無線端末は、ページング信号を送信した機器によってページング応答信号の成功する復号化の可能性を推定し、無線端末は、ページング応答信号を送信することを決定する。様々な実施例において、成功の可能性の推定は、干渉の結果である。動作は、ステップ２７１からステップ２７２へ進む。ステップ２７２において、ステップ２７２の推定がありそうな成功する復号化を示す場合、そのとき動作は、ステップ２７２から、無線端末がページング応答信号を送信することを決定するステップ２７４へ進む。しかしながら、ステップ２７２において、ステップ２７１の推定は、復号化が成功することがありそうもないことを示す場合、そのとき動作は、ステップ２７２からステップ２７６へ進み、ここでそれは、無線端末は、ページング応答信号を送信しないことを決定した。動作は、ステップ２７０からステップ２７８へ進む。
【００２９】
ステップ２７８において無線端末は、ステップ２７０の決定の結果として動作を制御する。無線端末がページング応答信号を送信することを決定している場合、そのとき動作はステップ２７８からステップ２８０へ進み、そうでなければ、操作は、ステップ２７８から、無線端末がページング応答シグナリング間隔中に休止しようとするように制御されるステップ２８２へ進む。
【００３０】
ステップ２８０へ戻ると、ステップ２８０において無線端末は、ページング応答信号を生成する。そのとき、ステップ２８４において無線端末は、ステップ２６０のページングシグナリングリソースに相当するページング応答シグナリングリソースを使用する生成されるページング応答信号を送信する。
【００３１】
動作は、任意のステップ２３９、２４８、２６６、２６８、２８２又は２８４から、接続ノードＤを通じて、一連のページング間隔に関連する動作のためのステップ２０２へ進む。
【００３２】
いくつかの実施例において、１つの個々のページングリソースは、多数の機器に対応することができる。
【００３３】
図３は、例示の実施例に従った例示の無線端末３００の図である。例示の無線端末３００は、たとえば、図１の無線通信機器の１つである。例示の無線端末は、図２のフローチャート２００に従った方法であり得、時々行う。
【００３４】
無線端末３００は、様々な要素（３０２、３０４）がデータ及び情報を交換し得るバス３０９を通じて共に接続されるプロセッサ３０２及びメモリ３０４を含む。無線端末３００は、示されるようにプロセッサ３０２に接続され得る入力モジュール３０６及び出力モジュール３０８をさらに含む。しかしながら、いくつかの実施例において、入力モジュール３０６及び出力モジュール３０８は、プロセッサ３０２の内部に位置される。入力モジュール３０６は、入力信号を受信することができる。入力モジュール３０６は、受信入力のための無線受信機及び／又は有線若しくは光学入力インターフェイスをふくむことができ、いくつかの表現においてする。出力モジュール３０８は、送信出力のための無線送信器及び／又は有線若しくは光学入力インターフェイスを含み得、及び、いくつかの実施例において含む。
【００３５】
プロセッサ３０２は、ページング指標信号を伝達するために使用されるページング指標リソースのセットの一部を監視するためであって、個々のページング指標リソースは１つ又はそれ以上の対応する機器に割り当てる、監視するため、ページング指標リソースの前記セットの一部の前記監視される部分上で探知されるページング指標信号の数を決定するため、及び、探知されるページング指標信号の決定される数に基づいてページング指標信号を送信するか否かの決定を行うために構成される。いくつかの実施例において、プロセッサ３０２は、無線端末に対応するページング指標リソース上でページング指標信号を受信し、ページングシグナリングリソース上でページング信号を受信し、及び、ページング応答信号を送信するか否かを決定するためにさらに構成される。
【００３６】
いくつかの実施例において、プロセッサ３０２は、ページング応答信号を送信するか否かを決定するための構成される一部として、前記ページング信号を送信する機器によるページング応答信号の成功する復号化の可能性を推定し、及び、前記推定がありそうな成功する復号化の可能性を示す場合送信することを決定するために構成される。様々な実施例において、プロセッサ３０２は、前記受信されるページング信号が前記無線端末へ向けられたか否かを決定するためにさらに構成される。
【００３７】
いくつかの実施例において、異なる個々のページング指標リソースは、異なる対応する機器を割り当てる。いくつかの実施例において、ページングリソースブロックにおける第１複数個の個々のページング指標リソースは、第１ページングシグナリングリソースに相当し、ページングリソースブロックにおける第２複数個の個々のページング指標リソースは、第２ページングシグナリングリソースに相当する。いくつかの実施例において、第１ページングシグナリングリソースは、第１ページング応答リソースに相当し、第２ページングシグナリングリソースは、第２ページング応答リソースに相当する。いくつかの実施例において、ページング指標リソースは、単一ＯＦＤＭトーンシンボルであり、ページングシグナリングリソースは、少なくとも７個のＯＦＤＭトーンシンボルである。
【００３８】
様々な実施例において、プロセッサ３０２は、ページング信号が送信されるべき場合に使用されるためのページングシグナリングリソースに相当するページング指標リソース上で伝達される信号のエネルギーを測定するためにさらに構成される。いくつかの実施例において、プロセッサ３０２は、ページング指標信号を送信するか否かの決定の基礎を測定されるエネルギーに置くために構成される。いくつかの実施例において、プロセッサ３０２は、ページング指標信号を送信するか否かの前記決定の基礎をページングの成功の可能性を示す格納される統計的な情報に置くためにさらに構成される。様々な実施例において、プロセッサ３０２は、ページング指標信号を送信するか否かの決定の基礎を、無線端末が無全端末がページングしようとする機器にページング指標信号を送信することを待っている時間の量に置くためにさらに構成される。
【００３９】
いくつかの実施例において、多数のページング指標リソースは、同一のページングシグナリングリソース、異なる送信時間スロットにおいて、及び少なくともいくつかの時間中に、生じる同一のページングシグナリングリソースに相当する前記多重ページング指標リソースの少なくともいくつかに相当し、前記異なる送信時間スロットの少なくとも１つは、前記監視することの後に続く。
【００４０】
いくつかの実施例において、ページング指標リソースは、単一ＯＦＤＭトーンシンボルである。いくつかの実施例において、ページング指標信号は、単一変調シンボルを伝達する。いくつかの実施例において、ページング信号は、多数の変調シンボルを伝達する。
【００４１】
図４Ａ、図４Ｂ及び図４Ｃの組み合わせを構成する図４は、図３において示される無線端末３００において使用されることができ、いくつかの実施例においてされるモジュール４００の部品である。モジュール４００の部品は、部分４０１、部分４０３及び部分４０５を含む。部品４００におけるモジュールは、たとえば個々の回路として、図３のプロセッサ３０２内のハードウェアにおいて実行されることができる。あるいはまた、モジュールは、ソフトウェアにおいて実施され、図３において示される無線端末３００のメモリ３０４において格納され得る。単一プロセッサ、たとえばコンピュータ、として図３において示されるが、プロセッサ３０２が１つ又はそれ以上のプロセッサ、たとえば、コンピュータ、として実施され得ることは認識されるべきである。ソフトウェアにおいて実施される場合、モジュールはコードを含み、ここでそれは、プロセッサによって実行される場合、プロセッサ、たとえば、コンピュータ３０２に、モジュールに相当する機能を実施させる。いくつかの実施例において、プロセッサ３０２は、モジュール４０００の部品のモジュールのそれぞれを実施するために構成される。モジュール４００の部品がメモリ３０４において格納される実施例において、メモリ３０４は、少なくとも１つのコンピュータ、たとえば、プロセッサ３０２、にモジュールに相当する機能を実施させるためのコード、たとえば、各モジュールのための個々のコード、を備えるコンピュータ可読媒体を備えるコンピュータプログラム製品である。
【００４２】
モジュールに完全に基づくハードウェア又は完全に基づくソフトウェアは、使用され得る。しかしながら、ソフトウェア及びハードウェア（たとえば、実施される回路）モジュールの任意の組み合わせは、機能を実施するために使用され得ることは認識されるべきである。認識されるべきであるように、図４に示されるモジュールは、図２のフローチャート２００の方法において示される及び／又は記述される相当するステップの機能を実行するため、無線端末３００又はプロセッサ３０２のようなその中の要素を制御し及び／又は構成する。
【００４３】
図４Ａ、図４Ｂ及び図４Ｃの組み合わせを構成する図４は、例示の実施例に従ったモジュール４００の部品である。モジュール４００の部品は、第１部分４０１、第２部分４０３及び第３部分４０５を含む。モジュール４００の部品は、機器がページングされるべきか決定し決定の結果として動作を制御するためのモジュール４０２、ページングされるための機器へページング指標信号を伝達するために使用されるための、ページングされるための機器に割り当てられる、ページング指標リソースを識別するためのモジュール４０４、及び識別されるページング指標リソースがページング指標リソースブロックの第１シンボルにあるかを決定し決定の結果として動作を制御するためのモジュール４０６を含む。
【００４４】
モジュール４００の部品は、識別されるページング指標リソースがページング指標リソースブロックにあることが決定される場合ページング指標信号を送信することを決定するためのモジュール４２２、ページング指標信号を伝達するために使用されるページング指標リソースのセットの一部を監視するためのモジュール４０８であって、ここで個々のページング指標リソースが１つ又はそれ以上の対応する機器へ割り当てる、モジュール４０８、ページング指標リソースの前記セットの前記監視される部分上で検知されるページング指標信号の数を決定するためのモジュール４１２、ページング信号が送信されるべき場合に使用されるページングシグナリングリソースに相当するページング指標リソース上で伝達される信号のエネルギーを測定するためのモジュール４１４、及びページング指標信号が送信されページング信号が送信されるページング成功の可能性を推定するためのモジュール４１６をさらに含む。
【００４５】
モジュール４００の部品は、ページング指標信号を送信するか否かの決定を行うためのモジュール４２６、ページング指標信号を送信するか否かの決定の結果として動作を制御するためモジュール４３８、ページング指標信号を生成するためのモジュール４４０、識別されるページング指標リソースを使用する生成されるページング指標信号を送信するためのモジュール４４２、ページング信号を生成するためのモジュール４４４、識別されるページング指標リソースに相当するページングシグナリングリソースを使用する生成されるページング信号を送信するためのモジュール４４６、ページングシグナリングリソースに相当するページングシグナリング応答リソースを監視するためのモジュール４４８、及び、このページング間隔中にページング信号を送信数することに関連する活動を終えるためのモジュール４３９をさらに含む。モジュール４２６は、ページング指標信号の決定される数に基づいてページング指標信号を送信するか否かの決定を行うためのモジュール４２８を含む。
【００４６】
いくつかの実施例において、モジュール４２６はまた、測定されるエネルギーに基づいてページング指標信号を送信するか否かの決定を行うためのモジュール４３０、ページング成功の可能性を示す格納される統計的な情報に基づいてページング指標信号を送信するか否かの決定を行うためのモジュール４３２、無線端末が無線端末がページングしようとする機器へページング指標信号を送信することを待っている時間に基づいてページング指標信号を送信するか否かの決定を行うためのモジュール４３４、及び、ページの緊急、たとえば、緊急がアプリケーションの結果として決定される、に基づいてページング指標信号を送信するか否かの決定を行うためのモジュール４３６を含む。モジュール４４８は、ページング信号が送信された機器からページング応答信号を受信するためのモジュール４５０を含む。
【００４７】
モジュール４００の部品は、無線端末にページング指標信号を伝達するために使用されるための、無線端末に割り当てられる、ページング指標リソースを識別するためのモジュール４５２、無線端末へページング指標信号を伝達するために使用されるための、無線端末に割り当てられる、識別されるページング指標リソースを監視するためのモジュール４５４、ページング指標信号が探知されたか決定するため及び決定の結果として動作を制御するためのモジュール４５８、識別されるページング指標リソースに相当するページングシグナリグリソースを監視するためのモジュール４６０、ページングシグナリング間隔及び相当するページング応答シグナリグ間隔中に休止しようとするように無線端末を制御するためのモジュール４６６、及び、受信するページング信号が無線端末に向けられたか否か決定するためのモジュール４６４、無線端末に向けられるページング信号が検知されたか否かに基づいて動作を制御するためのモジュール４６７をさらに含む。モジュール４００の部品は、ページング応答信号を送信するか否かを決定するためのモジュール４７０、無線端末に向けられるページング信号が検知されていないことが決定される場合ページングシグナリング間隔及び相当するページング応答シグナリグ間隔の任意の残りの一部の間に休止しようとするように無線端末を制御するためのモジュール４６８、ページング応答信号を送信するか否かの決定の結果として動作を制御するためのモジュール４７８、ページング応答信号を生成するためのモジュール４８０、ページング応答信号を送信しないことが決定される場合ページング応答シグナリング間隔中に休止しようとするように無線端末を制御するためのモジュール４８２、及び、ページングシグナリングリソースに相当するページング応答シグナリングリソースを使用する生成されるページング応答信号を送信するためのモジュール４８４をさらに含む。
【００４８】
モジュール４５４は、無線端末に対応するページング指標リソース上でページング指標信号を受信するためのモジュール４５６を含む。モジュール４６０は、ページングシグナリングリソース上でページング信号を受信するためのモジュール４６２を含む。モジュール４７０は、たとえば、干渉測定及び／又は推定に基づいて、ページング信号を送信した機器によってページング応答信号の成功する復号化の確率を推定するためのモジュール４７１、及び、推定がありそうな成功する復号化を示すかを決定するため及び決定の結果として動作を制御するためのモジュール４７２を含む。モジュール４７０は、前記推定がありそうな成功する符号化を示す場合前記ページング応答信号を送信することを決定するためのモジュール４７４、及び前記推定が復号化が恐らく成功するだろうことを示している場合前記ページング応答信号を送信しないことを決定するためのモジュール４７６をさらに含む。
【００４９】
図５は、タイミング構造を再発する例示のピアツーピアの一部が、いくつかの実施例、たとえば、図２のフローチャート２００に従った方法、図３の無線端末３００及び／又は図４のモジュール４００の部品を実施する実施例、において、使用され得ることを示す図５００である。縦の軸５０２は、周波数を表し、複数のＯＦＤＭトーン５２０を含む。水平の軸５０４は、時間を表し、複数のＯＦＤＭシンボル送信時間間隔を含む。例示のピアツーピア無線リンクリソースは、ページング指標リソースブロック５０６、相当するページングシグナリングリソースブロック５０８、及び相当するページング応答リソースブロック５１０を含み、ここでそれらは、それぞれ、ページング指標シグナリング時間間隔５１２、ページングシグナリング時間間隔５１４、及びページング応答時間間隔５１６中に生じる。
【００５０】
図６は、例示の実施例に従って図５の例示の無線リンクリソースをさらに分割することを示す図６００である。ページング指標リソースブロック５０６は、６４個の個々のページング指標リソース６０２を含み、ここで各個々のページング指標リソースはＯＦＤＭトーンシンボルである。ページングシグナリグリソースブロック５０８は、４つのページングシグナリングリソース６０４を含み、各ページングシグナリングリソースは、多数のＯＦＤＭトーンシンボルを含む。ページング応答リソースブロック５０８は、４つのページング応答リソース６０６を含み、各ページング応答リソースは、多数のＯＦＤＭトーンシンボルを含む。
【００５１】
他の例示の実施例において、ページング指標リソースブロックにおいて５６個のトーン及び８個のシンボル送信時間間隔があり、ここでそれは、ページング指標リソースブロックにおいて４４８個の個々のページング指標リソースに相当し、ここで各個々のページング指標リソースは、単一ＯＦＤＭトーンシンボルである。１つのその様な実施例において、ページングシグナリングリソースブロックにおいて１４個のページングシグナリングリソース、及びページング応答リソースブロックにおいて１４個の相当するページング応答リソースがある。
【００５２】
図７は、複数の個々のページング指標リソースは同一のページングシグナリングリソースに相当し、ページングリソースはページング応答リソースに相当することを示す図７００である。左から右へ上昇する斜線描影法によって識別される１６個の個々のページング指標リソース７０２は、ページングシグナリングリソースリソース７１０及びページング応答リソース７１８に相当する。縦線描影法によって識別される１６個の個々のページング指標リソース７０４は、ページングシグナリグリソース７１６及びページング応答リソース７２４に相当する。左から右へ下降する斜線描影法によって識別される１６個の個々のページング指標リソース７０６は、ページングシグナリングリソース７１２及びページング応答リソース７２０に相当する。水平線描影法によって識別される１６個の個々のページング指標リソース７０８は、ページングシグナリグリソース７１４及びページング応答リソース７２２に相当する。
【００５３】
図８は、ページング指標リソースのそれぞれが機器識別子、たとえば、ピア発見機器識別子、に割り当てられる。ページング指標リソースブロック５０６の６４個の個々のページング指標リソースは、たとえば、前もって決められたマッピングに従って、６４個の異なる機器識別子に割り当てられる。個々のページング指標リソースは、リソースに対応するＩＤを持つ機器へ向けられるページング指標信号を運ぶことができ、いつかする。いくつかの実施例において、１つのその様なＩＤは、多数の機器へ対応し得、ときどきする。
【００５４】
ページングシグナリグリソース７１０は、ＩＤ１、３３、２、５９、６０、３５、３６、４、５４、６２、１４、６、２３、４７、６４及び５７を持つ任意の機器に向けられるページング信号を運ぶことができ、いつかする。ページングシグナリグリソース７１０は、同時に多数のページング信号を運び得、ときどきする。ページングシグナリグリソース７１２は、ＩＤ９、５８、１８、４２、５２、４３、６１、５３，５，１３，４６，２２、５６，７，４０及び２４を持つ任意の機器へ向けられるページング信号を運ぶことができ、いつかする。ページングシグナリグリソース７１２は、同時に多数のページング信号を運び得、ときどきする。ページングシグナリグリソース７１４は、ＩＤ１７、４１、５２、１０、３、２７、２０、１２、４５、２９、６３、５５、１５、３９，１６及び４９を持つ任意の機器に向けられるページング信号を運ぶことができ、いつかする。ページングシグナリグリソース７１４は、同時の多数のページング信号を運び得、ときどきする。ページングシグナリングリソース７１６は、ＩＤ２５、５０、３４、２６、１１、１９、２８、４４、２１、３７、３０、３８、４８，３１、３２及び８を持つ任意の機器へ向けられるページング信号を運ぶことができ、いつかする。ページングシグナリングリソース７１６は、同時に多数のページング信号を運び得、ときどきする。
【００５５】
ページング応答リソース７１８は、ＩＤ１、３３、２、５９、６０、３５、３６、４、５４、６２、１４、６、２３，４７，６４及び５７を持つ任意の機器からのページング応答信号を運ぶことができ、いつかする。ページング応答リソース７１８は、同時に多数のページング応答信号を運び得、ときどきする。ページング応答リソース７２０は、ＩＤ９、５８、１８、４２、５２、４３、６１、５３、５、１３、４６、２２、５６、７、４０及び２４を持つ任意の機器からのページング応答信号を運ぶことができ、いつかする。ページング応答リソース７２０は、同時に多数のページング応答信号を運び得、ときどきする。ページング応答リソース７２２は、ＩＤ１７、４１、５２、１０、３、２７、２０、１２、４５、２９、６３、５５、１５，３９，１６及び４９を持つ任意の機器からのページング応答信号を運ぶことができ、いつかする。ページング応答リソース７２２は、同時に多数のページング応答信号を運び得、ときどきする。ページング応答リソース７２４は、ＩＤ２５、５０、３４、２６、１１、１９、２８、４４、２１、３７、３０、３８、４８，３１，３２及び８を持つ任意の機器からのページング応答信号を運ぶことができ、いつかする。ページング応答リソース７２４は、同時に多数のページング応答信号を運び得、ときどきする。
【００５６】
図９は、無線端末が、図５−８において示されるタイミング構造を使用する例示のピアツーピアシステムにおいて他の無線端末をページングすることを望む例を示す図９００である。無線端末、たとえば、ピア発見機器ＩＤ１を現在持つ無線端末、がピア発見機器ＩＤ６３を現在持つ無線端末をページングすることを望むことを考える。ページを送信することを望む無線端末は、それがページング指標信号を送信することを望む場合それが使用すべきページ指標リソースとして、ページ指標リソース９０４を識別する。無線端末はまた、ページングシグナリングリソース７１４が、それがＩＤ６３を持つ無線端末へページング信号を送信すべき場合それが使用するであろうページングシグナリングリソースであることを識別する。ＩＤ１を持つ無線端末は、ページング指標信号を伝達するために使用されるページング指標リソースのセットの一部を監視する。監視されるページング指標リソース９０２は、水平線描影法及びＭによって示される。監視されるページング指標リソースは、ページングシグナリングリソース７１４に相当しページング指標リソースブロック５０６においてページング指標リソース９０４より一時的に先に来るそれらのページング指標リソースである。この実施例において、高い優先順位に対応する低い索引シンボルを用いて、ページング指標リソースブロック５０６における位置に割り当てられる優先順位の考えがある。それゆえ、ページを送信することを望む無線端末は、受信される信号強度を測定し監視されるページング指標リソース上で検知されるページング指標信号の数を計数する、９個の個々のページング指標リソース９０２を監視する。ページング指標信号を送信することを望むＩＤ１を持つ無線端末は、たとえば、フローチャート２００のステップ２２６に従って、ＩＤ６３を持つ無線端末へページング指標信号を送信するか否かの決定を行う。
【００５７】
ＩＤ１を持つ無線端末がページング指標信号を送信することを望むことを考える。ＩＤ１を持つ無線端末は、ページング指標信号ＳＰＩ９０５を生成し、ページング指標リソース９０４を使用するＩＤ３を持つ無線端末へそれを送信する。それに続いて、ＩＤ１を持つ無線端末は、ページング信号９０６を生成し、ページングシグナリングリソース７１４を使用するＩＤ３を持つ機器へページング信号９０６を送信する。そのとき、ＩＤ６３を持つ無線端末は、ページング応答リソース７２２を使用するページング信号を送信するＩＤ１を持つ無線端末へページング応答信号９０６を送信する。
【００５８】
図１０Ａ及び図１０Ｂの組み合わせを構成する図１０は、例示の実施例に従って無線端末を動作させることの例示の方法のフローチャート１０００である。例示の無線端末は、たとえば、図１のシステム１００の無線通信機器の１つである。動作はステップ１００２において開始し、ここで、無線端末は、電源が入れられ初期化され、及び１００４へ進む。
【００５９】
ステップ１００４において、無線端末は、ページング指標信号を送信することにおいて使用するページング指標リソースを識別する。様々な実施例において、識別されるページング指標リソースは、ページングされるための機器に相当する。動作は、ステップ１００４からステップ１００６へ進み、ここでそれは、無線端末がページ優先順位を決定する。そのとき、ステップ１００８において無線端末は、ページング指標信号における決定されるページ優先順位を含む。いくつかの実施例において、ページング指標信号は、単一ＯＦＤＭシンボル送信時間間隔に置いて送信される２つのＯＦＤＭトーンシンボルである。いくつかの実施例において、ページング指標信号は、４つの可能なページング優先順位の１つを示す。動作は、ステップ１００８からステップ１０１０及び１０１２へ進む。
【００６０】
ステップ１０１０において無線端末は、識別されるページング指標リソース上でページング指標信号を送信する。ステップ１０１２において無線端末は、前記ページングリソースに相当する追加のページング指標リソース上で他の機器によって送信されるページング指標信号を受信する。動作は、ステップ１０１２から、無線端末が検知されるページング指標信号の受信される信号強度を測定するステップ１０１４へ進む。動作は、ステップ１０１４からステップ１０１６へ進み、ここでそれは、無線端末は前記決定されるページ湯銭順位よりも高い優先順位を持つ前記受信されるページング指標信号の数を計数する。動作は、ステップ１０１６からステップ１０１８へ進み、ここでそれは、無線端末は、前記決定されるページ優先順位と同一であり、前記ページング指標信号が受信されたページング指標リソースブロックにおいて前記ページング指標信号の送信に優先して受信される優先順位を持つ前記受信されるページング指標信号の数を計数する。
【００６１】
いくつかの実施例において、ステップ１０１０は、ページング指標リソースブロックの１つのシンボル送信時間間隔中に実行され、ステップ１０１２は、同一のページング指標リソースブロックの１つ又はそれ以上の異なるシンボル送信時間間隔中に実行される。動作は、ステップ１０１０及びステップ１０１８から接続ノードＡ１０２０を通じてステップ１０２２へ進む。
【００６２】
ステップ１０２２において、無線端末は、識別されるページング指標信号リソースに相当するページング信号リソースを使用するページング信号を送信するか否かの決定を行う。いくつかの実施例において、ステップ１０２２は、ステップ１０２４、１０２６、１０２８、１０３０及び１０３２の１つ若しくはそれ以上又は全てを含む。ステップ１０２４において、無線端末は、決定されるページ優先順位に基づいてページング信号を送信するか否かの決定を行う。ステップ１０２６において、無線端末は、前記ページ優先順位よりも高い優先順位を持つ受信されるページング指標信号の前記計数される数、たとえば、ステップ１０１６の計数、に基づいてページング信号を送信するか否かの決定を行う。ステップ１０２８において、無線端末は、前記決定される優先順位と同一の優先順位を持つ受信されるページング指標信号の計数される数、たとえば、ステップ１０１８の計数、に基づいてページング信号を送信するか否かの決定を行う。ステップ１０３０において、無線端末は、前記ページングシグナリングリソースに相当する追加のページング指標リソース上で機器によって送信される検知されるページング指標信号の受信される信号の強度に基づいて、たとえば、ステップ１０１４の測定に基づいて、ページング信号を送信するか否かの決定を行う。ステップ１０３２において、無線端末は、ページング信号が観測される信号状況に基づいて送信される場合の予期されるページング成功に関する統計上の情報に基づいてページを送信するか否かの決定を行う。様々な実施例において、ステップ１０２４、１０２６、１０２８、１０３０及び１０３２の１つ若しくはそれ以上又はすべては、決定を行うために関連して実行される。
【００６３】
動作は、ステップ１０２２からステップ１０３４へ進む。ステップ１０３４において無線端末は、ステップ１０２２の結果として動作を制御する。ステップ１０２２の決定がページング信号を送信することである場合、そのとき動作はステップ１０３４からステップ１０３６へ進み、さもなければ、動作はステップ１０３４からステップ１０４０へ進む。
【００６４】
ステップ１０３６へ戻ると、ステップ１０３６において無線端末は、前記識別されるページング指標リソースに相当する前記ページングシグナリングリソース上でページング信号を送信する。そのとき、ステップ１０３８において無線端末は、前記無線端末に向けられるページング応答信号のため前記ページングシグナリングリソースに対応するページング応答リソースを監視する。動作は、ステップ１０３８から終了ステップ１０４４へ進む。
【００６５】
ステップ１０４０に戻ると、ステップ１０４０において無線端末は、無線端末が無線端末に向けられるページング指標信号を受信しているか決定する。無線端末が無線端末へ向けられるページング指標信号を受信している場合、そのとき動作は、ステップ１０４０からステップ１０４１へ進み、ここでそれは、無線端末は、無線端末へ向けられる前記受信されるページング指標信号に応答して実行される動作を決定し、前記決定される動作を実施する。動作は、ステップ１０４１から終了ステップ１０４４へ進む。ステップ１０４１において実施され得る様々な例の動作は、無線端末へ向けられるページングシグナリングのため監視するか否かを決定すること、無線端末へ向けられるページング信号を受信すること、無線端末へページング信号を送信した機器へページング応答信号を送信するか否かを決定すること、ページング応答信号を生成すること、ページング応答信号を送信すること、及び機器を休止しようとするように制御することの１つ又はそれ以上を含む。
【００６６】
ステップ１０４０に戻ると、無線端末が無線端末に向けられるページング指標信号を受信していない場合、そのとき動作は、ステップ１０４０からステップ１０４２へ進み、ここでそれは、無線端末は、前記送信されるページング指標信号に相当するページング信号が送信されているだろう時間期間に相当するページングシグナリング間隔中に休止しようとする。動作は、ステップ１０４２から終了ステップ１０４４へ進む。
【００６７】
図１１は、例示の実施例に従った例示の無線端末１１００の図である。例示の無線端末１１００は、たとえば、図１の無線通信機器の１つである。例示の無線端末は、図１０のフローチャート１０００に従った方法を実施し得、ときどきする。
【００６８】
無線端末１１００は、プロセッサ１１０２及び、様々な要素（１１０２、１１０４）がデータ並びに情報を交換し得る１１０９バスを通じて共に接続されるメモリ１１０４を含む。無線端末１１００は、示されるようにプロセッサ１１０２に接続され得る入力モジュール１１０６及び出力モジュール１１０８をさらに含む。しかしながら、いくつかの実施例において、入力モジュール１１０６及び出力モジュール１１０８は、プロセッサ１１０２の内部に位置される。入力モジュール１１０６は、入力信号を受信することができる。入力モジュール１１０６は、無線受信機及び／又は受信入力のための優先又は光学入力インターフェイスを含むことができ、いくつかの実施例においてはする。出力モジュール１１０８は、無線送信器及び／又は送信出力のための有線又は光学出力インターフェイスを含み得、いくつかの実施例において含む。
【００６９】
プロセッサ１１０２は、ページング指標信号を送信することにおいて使用されるためのページング指標リソースを識別する、識別されるページング指標リソース上でページング指標信号を送信する、及び前記識別されるページング指標リソースに相当するページングシグナリングリソースを使用するページング信号を送信するか否かの決定を行うために構成される。様々な実施例において、プロセッサは、ページ優先順位を決定する、及びページング指標信号における決定されるページ優先順位を含むためにさらに構成される。
【００７０】
いくつかの実施例において、ページング指標信号は、単一ＯＦＤＭシンボル送信時間間隔において送信される２つのＯＦＤＭトーンシンボル信号である。様々な実施例において、前記ページング指標信号は、４つの可能なページング優先順位の１つを示す。
【００７１】
プロセッサ１１０２は、いくつかの実施例において、前記ページング信号を送信するか否かの決定を行うために設定されることの一部として、ページング信号を送信するか否かの決定を決定されるページ優先順位に基づかせるために構成される。いくつかのその様な実施例において、プロセッサ１１０２は、前記ページングシグナリングリソースに相当する追加のページング指標リソース上で他の機器によって送信されるページング指標信号を受信する、及び前記決定されるページ優先順位よりも高い優先順位を持つ前記受信されるページング指標信号の数を計数するためにさらに構成され、プロセッサ１１０２は、ページング信号を送信するか否かの決定を行うために構成されることの一部として、ページング信号を送信するか否かの決定を、前記決定されるページ優先順位より高い優先順位を持つ受信されるページング指標信号の前記計数される数に基づかせるために構成される。
【００７２】
様々な実施例において、プロセッサ１１０２は、前記ページングシグナリングリソースに相当する追加のページング指標リソース上で他の機器によって送信されるページング指標信号を受信する、及び、前記決定されるページ優先順位と同一であって、前記ページング指標信号が送信されるページング指標リソースブロックにおける前記ページング指標信号の送信の前に受信される優先順位を持つ前記受信されるページング指標信号の数を計数するためにさらに構成される。いくつかの実施例において、プロセッサ１１０２は、ページング信号を送信するか否かの決定を、ページング信号を送信するか否かを決定するために構成されることの一部として、前記決定されるページ優先順位と同一である優先順位を持つ受信されるページング指標信号の前記計数される数に基づかせるために構成される。
【００７３】
いくつかの実施例において、プロセッサ１１０２は、前記ページングシグナリングリソースに相当する追加のページング指標リソース上で他の機器によって送信されるページング指標信号を受信するためにさらに構成される。いくつかのその様な実施例において、プロセッサ１１０２は、ページング信号を送信するか否かを決定するために構成されることの一部として、ページング信号を送信するか否かの決定を、前記ページングシグナリングリソースに相当する追加のページング指標リソース上で他の機器によって送信される検知されるページング指標信号の受信される信号の強度に基づかせるために構成される。プロセッサ１１０２は、いくつかの実施例において、ページング信号を送信するか否かを決定するために構成されることの一部として、ページング信号を送信するか否かの決定を、ページング信号が観測される信号状況に基づいて送信される場合予期されるページングに関する統計的な情報に基づかせるために構成される。
【００７４】
様々な実施例において、プロセッサ１１０２は、ページング信号を送信するか否かの決定がページング信号を送信する決定である場合、ｉ）識別されるページング指標リソースに相当する前記ページングシグナリングリソース上で前記ページング信号を送信する、及ｉｉ）前記無線端末へ向けられるページング応答信号のための前記ページングシグナリングリソースに相当するページング応答リソースを監視することのためにさらに構成される。いくつかの実施例において、プロセッサ１１０２は、ページング信号を送信するか否かの前記決定がページング信号を送信しない決定であり、前記無線端末が前記無線端末に向けられるページング指標信号を受信していない場合、前記送信されるページ指標信号に相当するページング信号が送信されているであろう時間間隔に相当するページングシグナリング間隔中に休止しようとするように前記無線端末を制御するためにさらに構成される。
【００７５】
図１２Ａ及び図１２Ｂの組み合わせをから構成される図１２は、図１１において示される無線端末において使用されることができ、いくつかの実施例においてされるモジュール１２００の部品である。モジュール１２００の部品は、部分１２０１及び部分１２０３を含む。部品１２００におけるモジュールは、図１１のプロセッサ１１０２内のハードウェア、たとえば、個々の回路、において実施されることができる。あるいはまた、モジュールは、ソフトウェアにおいて実施され、図１１において示される無線端末１１００のメモリ１１０４において格納され得る。単一のプロセッサ、たとえば、コンピュータ、として実施例が図１１において示されるが、プロセッサ１１０２が１つ又はそれ以上のプロセッサ、たとえば、複数のコンピュータ、として実施され得ることは認識されるべきである。ソフトウェアにおいて実施される場合、モジュールは、プロセッサによって実行されるコードを含み、モジュールに相当する機能を実施するために、プロセッサ、たとえば、コンピュータ、１１０２を構成する。モジュール１２００の部品がメモリ１１０４において格納される実施例において、メモリ１１０４は、少なくとも１つのコンピュータ、たとえば、プロセッサ１１０２、にモジュールが相当する機能を実行させるためのコード、たとえば、各モジュールのための個々のコード、を備えるコンピュータ可読媒体を備えるコンピュータプログラム製品である。
【００７６】
モジュールに完全に基づくハードウェア又はモジュールに完全に基づくソフトウェアは、使用され得る。しかしながら、ソフトウェア及びハードウェア（たとえば、実施される回路）の任意の組み合わせが機能を実施するために使用され得ることは認識されるべきである。認識されるべきであるように、図１２において示されるモジュールは、図１０のフローチャート１０００の方法において示され及び／又は記述される相当するステップの機能を実行するように、無線端末１１００又はそのようなプロセッサ１１０２の中の要素を制御し及び／又は構成する。
【００７７】
モジュール１２００の部品は、第１部分１２０１及び第２部分１２０３を含む。モジュール１２００の部品は、ページング指標信号を送信することにおいて使用するためのページング指標リソースを識別するためのモジュール１２０４、ページ優先順位を決定するためのモジュール１２０６、ページング指標信号における決定されるページ優先順位を含むためのモジュール１２０８、及び識別されるページング指標リソース上でページング指標信号を送信するためのモジュール１２１０を含む。
【００７８】
モジュール１２００の部品は、前記ページングシグナリングリソースに相当する追加のページング指標リソース上で他の機器によって送信されるページング指標信号を受信するためのモジュール１２１２、検知されるページング指標信号の受信される信号強度を測定するためのモジュール１２１４、前記決定されるページ優先順位よりも高い優先順位を持つ前記受信されるページング指標信号の数を計数するためのモジュール１２１６、及び前記決定されるページ優先順位と同一であって、前記ページング指標信号が送信されたページング指標リソースブロックにおいて前記ページング指標信号の送信の前に受信される優先順位を持つ前記受信されるページング指標信号の数を計数するためのモジュール１２１８をさらに含む。
【００７９】
モジュール１２００の部品は、識別されるページング指標リソースに相当するページングシグナリングリソースを使用するページング信号を送信するか否かの決定を行うためのモジュール１２２２、ページング信号を送信するか否かの決定の結果として動作を制御するためのモジュール１２３４、前記識別されるページング指標リソースに相当する前記ページングシグナリングリソース上で前記ページング信号を送信するためのモジュール、前記無線端末へ向けられるページング応答信号のための前記ページングシグナリングリソースに相当するページング応答リソースを監視するためのモジュール１２３８、無線端末が無線端末へ向けられるページング指標信号を受信しているか否かの結果として動作を制御するためのモジュール１２４０、無線端末に向けられる前記受信されるページング指標信号に応じて実行されるための動作を決定するため及び前記決定される動作を実施するためのモジュール１２４１、及び前記送信されるページング指標信号に相当するページング信号が送信されているだろう時間間隔中に休止しようとするように無線端末を制御するためのモジュール１２４２をさらに含む。様々な実施例において、モジュール１２２２の部品は、決定されるページ優先順位に基づいてページング信号を送信するか否かの決定を行うためのモジュール１２２４、前記決定されるページ優先順位よりも高い優先順位を持つ受信されるページング指標信号の前記計数される数に基づいてページング信号を送信するか否かの決定を行うためのモジュール１２２６、前記決定される優先順位と同一であって、前記ページング指標信号が送信されたページング指標リソースブロックにおいて前記ページング指標信号の送信の前に受信される優先順位を持つ受信されるページング指標信号の計数される数に基づいてページング信号を送信するか否かの決定を行うためのモジュール１２２８、前記ページングシグナリングリソースに相当する追加のページング指標リソース上で機器によって送信される検知されるページング指標信号の受信される信号の強度に基づいてページング指標信号を送信するか否かの決定を行うためのモジュール１２３０、及びページング信号が観測される状況に基づいて送信される場合予期されるページングに関する統計上の情報に基づいてページング信号を送信するか否かの決定を行うためのモジュール１２３２の１つ若しくはそれ以上又はすべてを含む。
【００８０】
いくつかの実施例において、モジュール１２０４の識別されるページング指標リソースは、ページングされるための機器に対応する。様々な実施例において、ページング指標信号は、単一ＯＦＤＭシンボル送信時間間隔において送信される２つのＯＦＤＭトーンシンボル信号である。いくつかの実施例において、ページング指標信号は、４つの可能なページング優先順位の１つを示す。
【００８１】
図１３は、いくつかの実施例、たとえば、図１０のフローチャート１０００に従った方法、図１１の無線端末及び／又は図１２のモジュール１２００の部品を実施する実施例において使用され得るタイミング構造を再現する例示のピアツーピアの一部を示す図１３００である。縦の軸１３０２は、周波数を表わし、複数のＯＦＤＭトーン１３２０を含む。水平の軸１３０４は、時間を表わし、複数のＯＦＤＭシンボル送信時間間隔を含む。例示のピアツーピア無線リンクリソースは、ページング指標リソースブロック１３０６、相当するページングシグナリングリソースにブロック１３０８、及び相当するページング応答リソースブロック１３１０を含み、ここでそれらは、それぞれ、ページングシグナリング時間間隔１３１２、ページングシグナリング時間間隔１３１４、及びページング応答シグナリング時間間隔１３１６中に起こる。
【００８２】
図１４は、例示の実施例に従って図１３の例示の無線リンクリソースの更なる分割を示す図１４００である。ページング指標リソースブロック１３０６は、３２個の個々のページング指標リソース１４０２を含み、ここで、各個々のページング指標リソースは、同一のシンボル送信時間間隔において２つの隣接したＯＦＤＭトーンシンボルである。ページングシグナリングリソースブロック１３０８は、４つのページングシグナリングリソース１４０４を含み、各ページングシグナリングリソースは、多数のＯＦＤＭトーンシンボルを含む。ページング応答リソースブロック１３１０は、ページング応答リソース１４０６を含み、各ページング応答リソースは、多数のＯＦＤＭトーンシンボルを含む。
【００８３】
図１５は、複数の個々のページング指標リソースが同一のページングシグナリングリソースに相当し、ページングリソースがページング応答リソースに相当することを示す図１５００である。左から右に上昇する斜線描影法によって識別される８個の個々のページング指標リソース１５０２は、ページングシグナリグリソース１５１０及びページング応答リソース１５１８に相当する。縦線描影法によって識別される８個の個々のページング指標リソース１５０４は、ページングシグナリングリソース１５１６及びページング応答リソース１５２４に相当する。左から右へ下降する斜線描影法によって識別される８個の個々のページング指標リソース１５０６は、ページングシグナリグリソース１５１２及びページング応答リソース１５２０に相当する。水平線描影法によって識別される８個の個々のページング指標リソース１５０８は、ページングシグナリングリソース１５１４及びページング応答リソース１５２２に相当する。
【００８４】
図１６は、ページング指標リソースのそれぞれが、機器識別子、たとえば、ピア発見機器識別子、に割り当てられることを示す図である。いくつかの実施例において、ページング指標リソースのそれぞれは、多数の機器識別子に割り当てられることができ、ときどきされる。ページング指標リソースブロック１３０６の３２個の個々のページング指標リソースは、たとえば予め決められたマッピングに従って、３２個の異なる機器識別子に割り当てられる。個々のページング指標リソースは、リソースに対応するＩＤを持つ機器に向けられるページング指標信号を運ぶことができ、いつかする。この例示の実施例において、ページング指標信号を送信する前に、ページング指標信号を送信しようとする無線端末は、ページ優先順位、たとえば、４つの可能なページ優先順位レベル、を決定し、ページング指標信号における決定されるページ優先順位を含む。
【００８５】
ページングシグナリングリソース１５１０は、ＩＤ１、１０、１１、４、２１、２２、１５及び３２を持つ任意の機器に向けられるページング信号を運ぶことができ、いつかする。ページングシグナリングリソース１５１０は、同時に複数のページング信号を運び得、ときどきする。ページングシグナリングリソース１５１２は、ＩＤ２７、２９、２４、２５、５、１４、２３及び８を持つ任意の機器に向けられるページング信号を運ぶことができ、いつかする。ページングシグナリングリソース１５１２は、同時に多数のページング信号を運び得、ときどきする。ページングシグナリングリソース１５１４は、ＩＤ１７、２、１９、１２、１３、２８，７及び１６を持つ任意の機器に向けられるページング信号を運ぶことができ、いつかする。ページングシグナリングリソース１５１４は、同時に多数のページング信号を運び得、ときどきする。ページングシグナリングリソース１５１６は、ＩＤ９、１８、３、２０、３０、６、２６及び３１を持つ任意の機器に向けられるページング指標を運ぶことができ、いつかする。ページングシグナリングリソース１５１６は、同時に多数のページング信号を運び得、ときどきする。
【００８６】
ページング応答リソース１５１８は、ＩＤ１、１０、１１、４、２１、２２、１５及び３２を持つ任意の機器からのページング応答信号を運ぶことができ、いつかする。ページング応答リソース１５１８は、同時に多数のページング応答信号を運び得、ときどきする。ページング応答リソース１５２０は、ＩＤ２７、２９、２４、２５、５、１４、２３及び８を持つ任意の機器からのページング応答信号を運ぶことができ、いつかする。ページング応答リソース１５２０は、同時に多数のページング応答信号を運び得、ときどきする。ページング応答リソース１５２２は、ＩＤ１７、２、１９、１２、１３、２８、７及び１６を持つ任意の機器からのページング応答信号を運ぶことができ、いつかする。ページング応答リソース１５２２は、同時に多数のページング応答信号を運び得、ときどきする。ページング応答リソース１５２４は、ＩＤ９、１８、３、２０、３０、６、２６及び３１を持つ任意の機器からのページング応答信号を運ぶことができ、いつかする。ページング応答リソース１５２４は、同時に多数のページング応答信号を運び得、ときどきする。
【００８７】
図１７は、無線端末が図１３−１６において示されるタイミング構造を使用する例示のピアツーピアシステムにおいて他の無線端末をページングすることを望む例を示す図１７００である。無線端末、たとえば、ピア発見機器ＩＤ３を現在持つ無線端末、は、ピア発見機器ＩＤ２２を現在持つ無線端末をページングすることを望むことを考える。ページを送信することを望む無線端末は、それがページング指標信号を送信するために使用すべきページ指標リソースとしてページ指標リソース１７０２を識別する。ＩＤ３を持つ無線端末は、ページ優先順位、たとえば、４つの可能なページング優先順位の１つ、を決定する。ＩＤ３を持つ無線端末は、ページ指標信号１７０４を生成し、ページ指標信号生成の一部としてＩＤ３を持つ無線端末は、生成されるページング指標信号において決定されるページ優先順位を含む。ページング指標シグナリング時間間隔の６個のＯＦＤＭシンボル送信時間間隔中に、ＩＤ３を持つ無線端末は、符号化される優先順位レベル情報ＳＰＩ（ＥＰＬ）１７０４を持つ生成されるページ指標信号を送信する。
【００８８】
ＩＤ３を持つ無線端末はまた、ページングシグナリングリソース１５１０が、それがＩＤ２２を持つ無線端末へページング信号を送信することを決定すべき場合それが使用するであろうページングシグナリングリソースであることを識別する。ＩＤ２を持つ無線端末は、左から右へ上昇する破線描影法及びＭによって示されるページング指標リソース１７０６、１７０８、１７１０、１７１２、１７１４、１７１６及び１７１８を監視する。監視されるページング指標リソースは、ページング指標リソースブロック１３０６においてページングシグナリングリソース１５１０に相当する他のページング指標リソースである。この実施例において、ページング指標信号において伝達される優先順位の前に加えて、優先順位の第２の考えに関してはより高い優先順位に相当するより低い索引シンボルを持つ、ページング指標リソースブロック１３０６における位置に割り当てられる優先順位の第２の考えもある。ＩＤ３を持つ無線端末は、受信される信号強度を測定し監視されるページング指標リソース上で検知されるページング指標信号の数を計数する７個の個々のページング指標リソース１７０６、１７０８、１７１０、１７１２、１７１４、１７１６及び１７１８を監視する。加えて、ＩＤ３を持つ無線端末は、たとえば、符号化される優先順位情報を復号化することを通じて、受信されるページング指標信号を処理し、受信されるページング指標信号において伝達される受信される優先順位情報を取り戻す。ＩＤ３を持つ無線端末は、信号１７０４内へ符号化される決定される優先順位より高い符号化される優先順位を伝達するページング指標リソース（１７０６、１７０８、１７１０、１７１２、１７１４、１７１６及び１７１８）上で受信されるページング指標信号の数を計数する。ＩＤ３を持つ無線端末はまた、信号１７０４内へ符号化される決定される優先順位と同一の符号化される優先順位を伝達するページング指標リソース（１７０６、１７０８、１７１０、１７１２及び１７１４）上で受信されるページング指標信号の数を計数する。
【００８９】
ＩＤ３を持つ無線端末は、たとえば、フローチャート１０００のステップ１０２２に従って、ＩＤ２２を持つ無線端末へページング信号１７２０を送信するか否かの決定を行う。この例において、ＩＤ３を持つ無線端末がページング信号を送信することを決定することを考える。ＩＤ３を持つ無線端末は、ページング信号１７２０を生成し、ページングシグナリングリソース１５１０を使用するＩＤ２２を持つ無線端末へページング信号１７２０を送信する。様々な実施例において、ページング信号は、ページングされる機器に対応する識別子を含むページングメッセージを伝達する。ＩＤ２２を持つ無線端末がページング信号１７２０を受信しページング応答信号を送り返すことを決定することをさらに考える。ＩＤ２２を持つ無線端末は、ページング応答信号１７２２を生成し、ページング応答リソース１５１８を使用するＩＤ３を持つ無線端末へページング応答信号１７２２を送信する。
【００９０】
いくつかの実施例において、図２−９に関して記述される様々な特徴及び／又は態様は、図１０−１７に関して記述される特徴及び／又は態様と組み合わされる。いくつかの実施例において、無線端末は、たとえば、図２のステップ２２６に従って、ページング指標信号を送信するか否かの決定を行う。いくつかのそのような実施例において、無線端末がページング指標信号を送信することを決定している場合、無線端末は、たとえば、図１０のステップ１０２２に従って、その送信されるページング指標信号に相当するページング信号をそれに続いて送信するか否かの決定をさらに行う。
【００９１】
いくつかの実施例において、無線端末に向けられるページング指標信号を受信している無線端末は、無線端末へ送信されるだろう相当するページング信号を受信するか否かをさらに決定する。いくつかのその様な実施例において、無線端末がページング信号を受信しないことを決定する場合、無線端末は、バッテリパワー及び／又は処理パワーを保存する。いくつかの実施例において、無線端末がページング信号を受信しないと決定する場合、無線端末は、休止しようとする。
【００９２】
図１８Ａ、図１８Ｂ、図１８Ｃ、図１８Ｄ、図１８Ｅ、図１８Ｆ及び図１８Ｇの組み合わせから構成される図１８は、例示の実施例に従って無線端末を動作させることの例示の方法のプロ―チャート１８００である。動作は、ステップ１８０２において開始し、ここでそれは、無線端末は、電源を入れられ、初期化される。動作は、スタートステップ１８０２からステップ１８０４へ進む。ステップ１８０４において、無線端末は、無線端末が機器をページングすることを望むか決定する。無線端末が機器をページングすることを望む場合、そのとき動作はステップ１８０４からステップ１８０６へ進み、そうでなければ、動作はステップ１８０４からステップ１９０２へ進む。
【００９３】
ステップ１８０６に戻ると、ステップ１８０６において無線端末は、ページングされるための機器に対応するページング指標リソースを識別する。いくつかの実施例において、識別されるページング指標リソースは、ページング指標リソースブロックにおける無線リンクリソースであり、識別されるページング指標リソースは、同一のＯＦＤＭシンボルにおいて２つの隣接したＯＦＤＭトーンシンボルから構成される。動作はステップ１８０６からステップ１８０８へ進み、ここでそれは、無線端末は、識別されるページング指標リソースを含むページング指標リソースブロックにおいてシンボルを識別する。動作は、ステップ１８０８からステップ１８１０へ進む。
【００９４】
ステップ１８１０において無線端末は、たとえば、アプリケーションの結果として、ページング優先順位を決定する。いくつかの実施例において、ページング優先順位は、４つの可能なレベルの１つである。そのときステップ１８１２において無線端末は、ページング指標信号を生成する。ステップ１８１２は、サブステップ１８１４を含み、ここでそれは、無線端末は、ページング指標信号において決定されるページ優先順位を符号化する。動作はステップ１８１２からノードＡ１８１６を通じステップ１８１８へ進み、ここでそれは、ページング指標リソースブロックのシンボルに相当する動作が実行される。
【００９５】
ステップ１８１８は、ステップ１８２０、１８２２、１８２４及び１８２８を含む。無線端末は、ページング指標リソースブロックの第１シンボルに関する動作を開始する。
【００９６】
ステップ１８２０において無線端末は、ページング指標リソースブロックにおける現在のシンボルがステップ１８０８の識別されるシンボルであるか否かを決定する。現在のシンボルがステップ１８０８の識別されるシンボルである場合、そのとき動作はステップ１８２０から、無線端末がステップ１８１２の生成されるページング指標信号を送信するステップ１８２２へ進み、そうでなければ、動作はステップ１８２０からステップ１８２４へ進む。
【００９７】
ステップ１８２４において、無線端末は、ステップ１８０６の識別されるページング指標リソースが相当する同一のページングシグナリングリソースに相当するページング指標リソースを監視する。この例示の実施例において、異なる無線端末に対応する複数のページング指標リソースは、同一のページングリソースに相当する。ステップ１８２４は、ステップ１８２６を含み、ここでそれは、無線端末が監視されるページング指標リソースにおいて検知されるに丹のページング指標信号を受信する。動作はステップ１８２６からステップ１８２８へ進み、ここでそれは、各検知されるページング指標信号のために実行される。
【００９８】
ステップ１８２８において無線端末は、受信されるページング指標信号を処理する。ステップ１８２８は、ステップ１８３０、１８３２、１８３４、１８３６、１８３８、１８４０、１８４２及び１８４４を含む。ステップ１８３０において無線端末は、観測されるページング指標信号の数の計数を増加させる。ステップ１８３２において無線端末は、検知されるページング指標信号のパワーを測定し、ステップ１８３４において無線端末は、伝達される優先順位を決定するため受信されるページング指標信号を復号する。そのとき、ステップ１８３６において無線端末は、検知されるページング指標信号において伝達される、ステップ１８３４からの、決定される優先順位を、ステップ１８１４の生成されるページング指標信号において復号される優先順位と、比較する。動作は、ステップ１８３６からステップ１８３８へ進む。ステップ１８３８において、受信される信号における優先順位が生成される送信信号における優先順位よりも高いと決定されている場合、そのとき動作はステップ１８３８からステップ１８４０へ進み、そうでなければ、スタップ１８４０からステップ１８４２へ進む。
【００９９】
ステップ１８４０に戻ると、ステップ１８４０において無線端末は、生成されるページング指標送信信号よりも高い優先順位を持つ観測されるページング指標信号の数の計数を増加させる。ステップ１８４２に戻ると、ステップ１８４２において無線端末は、２つの条件：（ｉ）処理される受信されるページング指標信号における優先順位が生成されるページング指標送信信号と等しい、（ｉｉ）受信されるページング指標信号がページング指標リソースブロックにおいて生成されるページング指標送信信号より時間的に先に来る、を満たすかどうかをチェックする。この例示の実施例において、優先順位の考えはまた、たとえば、ブロックにおいてより遅いシンボルより高い優先順位を持つブロックにおけるより早いシンボルを持つ、ページング指標リソースブロックにおいて相対的な位置を割り当てられる。
【０１００】
ステップ１８４２において、２つの上に言及される条件が満たされる場合、そのとき動作はステップ１８４２から、無線端末が、ページング指標リソースブロックにおいて生成されるページング指標送信信号より先に来るステップ１８１２の生成されるページング指標送信信号と同一の符号化される優先順位を持つ観測されるページング指標信号の数の計数を増加させるステップ１８４４へ進む。
【０１０１】
動作は、ステップ１８１８から、接続ノードＢ１８４６を通じて、ステップ１８４８へ進む。ステップ１８４８において、無線端末は、ページング指標リソースブロックが十分に処理されているか否かを決定する。ページング指標リソースブロックが十分に処理されている場合、そのとき動作はステップ１８４８からステップ１８５２へ進み、そうでなければ、動作はステップ１８４８からステップ１８５０へ進み、ここでそれは、無線端末がページング指標リソースブロックにおける次にシンボルへ移る。動作は、ステップ１８５０から接続ノードＡ１８１６を通じて、ページング指標リソースブロックにおける次のシンボルの処理のためのステップ１８１８へ進む。
【０１０２】
ステップ１８５２へ戻ると、ステップ１８５２において無線端末は、ページング信号を送信するか否かの決定を行う。いくつかの実施例において、ステップ１８５２は、ステップ１８５４、１８５６、１８５８、１８６０、１８６２及び１８６４の１つ又はそれ以上を含む。ステップ１８５４において無線端末は、送信されるページング指標信号において符号化される優先順位に基づいてページング信号を送信するか否かの決定を行う。ステップ１８５６において無線端末は、生成される送信されるページング指標信号において符号化される優先順位よりも高い符号化される優先順位を持つ検知されるページング指標信号の数に基づいてページング指標信号を送信するか否かの決定を行う。ステップ１８５８において無線端末は、生成される送信されるページング指標信号において符号化される優先順位と同一の符号化される優先順位を持つ検知されるページング指標信号の数に基づいてページング信号を送信するか否かの決定を行い、ここでそれは、生成される送信されるページング指標信号よりも時間的に先に行く。ステップ１８６０において無線端末は、検知されるページング指標信号の受信される強度に基づいてページング指標信号を送信するか否かの決定を行う。ステップ１８６２において無線端末は、ページング信号が観測される信号状況に基づいて送信されるか否かの予期されるページング成功率上の統計的な情報に基づいてページング信号を送信するか否かの決定を行う。ステップ１８６４において無線端末は、無線端末がページング信号を送信することを待っている長さに基づいてページング信号を送信するか否かの決定を行う。様々な実子例において、ステップ１８５４、１８５６、１８５８、１８６０、１８６２及び１８６４の１つ又はそれ以上の動作は、たとえば、単一の決定を作り出すために合併されている動作と協力して実行される。
【０１０３】
動作は、ステップ１８５２からステップ１８６６へ進み、ここでそれは、無線端末がステップ１８５２の決定の結果として動作を制御する。ステップ１８５２の決定がページング信号を送信することである場合、そのとき動作はステップ１８６６からステップ１８６８へ進み、そうでなければ、動作はステップ１８６６から終了ステップへ進む。
【０１０４】
ステップ１８６８へ戻ると、ステップ１８６８において無線端末は、ページング信号を生成する。そのときステップ１８７０において無線端末は、ページング指標信号を送信するために使用される識別されるページング指標リソースに相当するページングシグナリングリソースにおいて生成されるページング信号を送信する。動作は、ステップ１８７０からステップ１８７２へ進む。
【０１０５】
ステップ１８７２において、無線端末は、ページングシグナリングリソースに相当するページング応答リソースにおけるページング応答信号のため監視する。ステップ１８７２は、無線端末がページング応答信号を受信するステップ１８７３を含み得、ときどきする。動作は、ステップ１８７３からステップ１８７４へ進む。
【０１０６】
ステップ１８７４において、無線端末は、受信されるページング応答信号が生成される送信されるページング信号に応じるか決定する。いくつかの実施例において、ステップ１８７４は、受信されるページング応答信号の一部から情報を回復すること、たとえば、識別子を回復するため受信されるページング信号の一部を復号化すること、を含む。
【０１０７】
動作は、ステップ１８７４から接続ノードＤ１８７６を通じてステップ１８７８へ進む。ステップ１８７８において無線端末は、ステップ１８７４の決定の結果として動作を制御する。無線端末は、受信されるページング応答信号がその送信されるページング信号に応じることを決定する場合、そのとき動作はステップ１８７８からステップ１８８０へ進み、そうでなければ、動作はステップ１８７８から終了ステップへ進む。
【０１０８】
ステップ１８８０へ戻ると、ステップ１８８０において、無線端末は、受信される信号、ノイズ及び干渉レベルに基づいて受信されるページング応答信号を復号するか否か決定する。動作は、ステップ１８８０からステップ１８８２へ進み、ここでそれは、無線端末がステップ１８８０の決定の結果として動作を制御する。無線端末が受信されるページング応答信号を復号化することを決定している場合、そのとき動作は、ステップ１８８２からステップ１８８４へ進み、ここでそれは、無線端末が受信されるページング応答信号を復号化し、そうでなければ、動作はステップ１８８２から終了ステップへ進む。
【０１０９】
ステップ１８０４へ戻ると、ステップ１８０４において無線端末はそれが機器をページングすることを望まないと決定する場合、そのとき動作は、ステップ１８０４からステップ１９０２へ進む。ステップ１９０２において、無線端末は、無線端末へ向けられるページング指標信号が伝達され得るページング指標リソースを識別し、ステップ１９０４において無線端末は、ステップ１９０２の識別されるページング指標リソースを含むページング指標リソースブロックにおいてシンボルを識別する。動作は、ステップ１９０４からステップ１９０６へ進む。
【０１１０】
ステップ１９０６において無線端末は、無線端末へ向けられるページング指標信号が伝達され得る、識別されるページング指標リソースと同一のページングシグナリングリソースに相当する他の無線端末に相当するページング指標リソースを識別する。動作は、ステップ１９０６から、無線端末が、ページング指標信号のため、ステップ１９０２及びステップ１９０６の、識別されるページング指標リソースを監視するステップ１９０８へ進む。動作はステップ１９０８から接続ノードＥ１９１０を通じてステップ１９１２へ進み、ここでそれは、監視されるリソース上で検知される各受信されるページング指標信号のため実行される。
【０１１１】
ステップ１９１２において無線端末は、受信されるページング指標信号を処理する。ステップ１９１２は、ステップ１９１、１９１６、１９１８及び１９２０を含む。ステップ１９１４において無線端末は、受信されるページング指標信号が向けられる機器を決定する。ステップ１９１６において無線端末は、検知されるページング指標信号が伝達されたページング指標リソースブロックにおけるシンボルを決定する。ステップ１９１８において無線端末は、受信されるページング指標信号の強度を測定し、ステップ１９２０において無線端末は、伝達される優先順位を決定するため受信されるページング指標信号を復号化する。ステップ１９１４、１９１６、１９１８及び１９２０の結果は、格納され、より遅れて使用されることができる。
【０１１２】
検知されるページング指標信号のそれぞれが処理されている場合、動作は、ステップ１９１２からステップ１９２２へ進む。ステップ１９２２において無線端末は、無線端末へ向けられるページング指標信号が受信されたかチェックする。無線端末へ向けられるページング指標信号が受信された場合、そのとき動作はステップ１９２２からステップ１９２４へ進み、そうでなければ、動作は、ステップ１９２２からステップ１９２３へ進み、ここでそれは、無線端末が、たとえばパワーを保存するため、ページングシグナリング間隔及びページング応答シグナリング間隔中に休止しようとするように制御される。
【０１１３】
ステップ１９２４へ戻ると、ステップ１９２４において無線端末は、無線端末へ向けられるページング指標信号の符号化される優先順位よりも高い符号化される優先順位を持つ受信されるページング指標信号の数を決定する。動作は、ステップ１９２４からステップ１９２６へ進み、ここでそれは、無線端末は、無線端末へ向けられる受信されるページング指標信号より時間的に先に行くシンボルにおいて受信された無線端末へ向けられる受信されるページング指標信号の符号化される優先順位と同一の符号化される優先順位を持つ受信されるページング指標信号の数を決定する。動作は、ステップ１９２６から接続ノードＦ１９２８を通じてステップ１９３０へ進む。
【０１１４】
ステップ１９３０において無線端末は、ページング信号を受信するか否か決定する。様々な実施例において、ステップ１９３０は、ステップ１９３２、１９３４、１９３６、１９３８、１９４０及び１９４２の１つ又はそれ以上を含む。ステップ１９３２において無線端末は、無線端末へ向けられる受信されるページング指標信号における符号化される優先順位に基づいてページング信号を受信するか否かの決定を行う。ステップ１９３４において無線端末は、無線端末に向けられる受信されるページング指標信号における符号化される優先順位より高い符号化される優先順位を持つ他の無線端末に向けられる受信されるページング指標信号の数に基づいてページング信号を受信するか否かの決定を行う。ステップ１９３６において無線端末は、無線端末へ向けられる受信されるページング指標信号よりも時間的に先に行く、無線端末へ向けられる受信されるページング指標信号における符号化される優先順位と同一の符号化される優先順位を持つ他の無線端末へ向けられる受信されるページング指標信号の数に基づきページング信号を受信するか否かの決定を行う。ステップ１９３８において無線端末は、検知されるページング指標信号の受信される強度に基づいてページング信号を受信するか否かの決定を行う。ステップ１９４０において無線端末は、ページング信号が観測される信号状況に基づいて受信されるか否かの予期される成功率上の統計上の情報に基づいてページング信号を受信するか否かの決定を行う。ステップ１９４２において無線端末は、無線端末がページング信号を受信することを待っている長さに基づいてページング信号を受信するか否かの決定を行う。様々な実施例において、ステップ１９３２、１９３４、１９３６、１９３８、１９４０及び１９４２の１つ又はそれ以上の動作は、たとえば、単一決定を作り出されるために合併される動作と協力して実行される。
【０１１５】
動作は、ステップ１９３０からステップ１９４４へ進む。ステップ１９４４において無線端末は、ステップ１９３０の決定の結果として動作を制御する。無線端末がページング信号を受信することを決定している場合、そのとき動作は、ステップ１９４４からステップ１９４６へ進み、そうでなければ、動作は、ステップ１９４４から、無線端末が、たとえば、パワーを保存するため、ページングシグナリング間隔及びページング応答シグナリング間隔中に休止しようとするように制御されるステップ１９４５へ進む。
【０１１６】
ステップ１９４６に戻ると、ステップ１９４６において無線端末は、無線端末へ向けられるページング指標信号が伝達される受信されるページング指標信号に相当するページング信号リソースにおいてページング信号のため監視する。ステップ１９４６は、無線端末がページング信号を受信するステップ１９４８を含み得、ときどきする。動作は、ステップ１９４８からステップ１９５０へ進む。
【０１１７】
ステップ１９５０において無線端末は、ステップ１９４８の受信されるページング信号が無線端末へ向けられるか否かを決定する。いくつかの実施例において、ステップ１９５０は、識別子を回復するため受信されるページング信号の一部を復号化することを含む。動作は、ステップ１９５０から接続ノードＧ１９５２を通じてステップ１９５４へ進む。
【０１１８】
ステップ１９５４において無線端末は、ステップ１９５０の決定の結果として動作を制御する。ステップ１９５０の受信されるページング信号が無線端末へ向けられる場合、そのとき動作はステップ１９５６から進み、そうでなければ、動作はステップ１９５４から、無線端末がページング応答シグナリング間隔を含む時間間隔中に休止しようとするように制御されるステップ１９５５へ進む。
【０１１９】
ステップ１９５６へ戻ると、ステップ１９５６において無線端末は、受信される信号、ノイズ、干渉レベル情報に基づいて受信されるページング信号を復号化するか否か決定する。動作は、ステップ１９５６からステップ１９５８へ進む。
【０１２０】
ステップ１９５８において無線端末は、ステップ１９５６の決定の結果として動作を制御する。無線端末がステップ１９５６において受信されるページング信号を復号化することを決定している場合、そのとき動作はステップ１９５８からステップ１９６０へ進み、そうでなければ、動作は、ステップ１９５８から、無線端末がページング応答シグナリング間隔を含む時間間隔中に休止しようとするように制御される。
【０１２１】
ステップ１９６０へ戻ると、ステップ１９６０において無線端末は、たとえば、推定される干渉の結果として、ページング信号を送信した機器によるページング応答信号の成功の推定される可能性に、たとえば基づいて、ページング応答信号を送信するか否かを決定する。動作は、ステップ１９６２からステップ１９６４へ進み、ここでそれは、無線端末がステップ１９６２の決定の結果として動作を制御する。
【０１２２】
無線端末がステップ１９６２においてページング応答信号を送信することｗ決定している場合、そのとき動作はステップ１９６４からステップ１９６６へ進み、そうでなければ、動作はステップ１９６４から、たとえばパワーを保存するため、ページング応答シグナリング間隔中に休止しようとするように制御される。
【０１２３】
ステップ１９６６に戻ると、ステップ１９６６において無線端末は、ページング応答信号を生成し、ステップ１９６８において無線端末は、ページング信号リソースに相当するページング応答リソースを使用して、無線端末へ向けられるページング信号を送信した機器へ生成するページング応答信号を送信する。
【０１２４】
いくつかの実施例において、無線端末は、図１８において示される各個々のステップ又はサブステップに対応する、ハードウェアにおいて実施され又はメモリに格納されるモジュールを含む。モジュールは、個々のステップを実施するように無線端末を制御する。それに応じて、いくつかの実施例において無線端末は、図１８のステップを実施するため構成されるプロセッサ及びプロセッサを持つメモリを含む。
【０１２５】
全ての必要はなく、いくつかの実施形態の様々な対応及び／又は特徴は、以下に記述されるだろう。いくつかの実施例において、バッテリパワーを節約するため、無線端末、たとえば、モバイル局は、エネルギーを保存することができるときはいつでも休止しようとする。たとえば、無線端末は休止しようとし、そのときある動作を実行するため繰り返されるスケジュールにおいて予め決定されている時間に起きる。たとえば、無線端末は、アドホックピアツーピアネットワークにおいて使用される繰り返されるピアツーピアタイミングスケジュールにおいてページング指標リソースブロックを監視することができるように起きる。
【０１２６】
いくつかの実施例において、無線端末は、無線端末へ向けられるページング指標信号をチェックするために起きる。無線端末は、ページング指標信号の存在に関して、無線端末に対応するページング指標リソースを監視する。無線端末が無線端末へ向けられるページング指標信号を検知する場合、いくつかの実施例において、無線端末は、ページングシグナリングに関して相当するページングシグナリングリソースを関するため起動状態に留まる。しかしながら、無線端末が無線端末へ向けられるページング指標信号を受信しない場合、無線端末は、休止に戻ろうとする状態へ戻る。
【０１２７】
いくつかの実施例において個々のページング指標リソースは、無線リンクリソースの比較的小さな量、たとえば、１つ又は２つのＯＦＤＭトーンシンボル、であるが、ページングシグナリングリソースは、無線リンクリソースの比較的大きな量、たとえば、７つ又はそれ以上のＯＦＤＭトーンシンボル、である。いくつかの実施例においてページング指標信号は、ページングされるための機器の識別子を明白に運ばないが、しかしながら、ページング指標信号を運ぶページング指標リソースブロックにおけるページング指標リソースの位置は、機器識別子情報を暗に伝える。いくつかの実施例において、ページング信号は、ページングメッセージを伝える。いくつかのその様な実施例において、ページング信号は、機器識別子情報を直接伝える。
【０１２８】
いくつかの実施例において、ページング指標信号は、放送信号である。無線端末は、他の無線機器へ向けられるページング指標信号と聞き得、ときどきする。他の機器に対応するページング指標信号に対応する収集される情報は、柔軟な決定を行うために使用され得、ときどきされる。
【０１２９】
様々な実施例において、多数のページング指標リソースは、同一のページングシグナリングリソースに相当する。したがって、ページングシグナリングリソース上での混雑を避けるため、いくつかの実施例において、意図されるページング指標信号を送信するか否か及び／又は意図されるページング信号を送信するか否かの決定を行う前に、ページング指標信号を送信しようとする無線端末は、他のページング指標信号のための他のページング指標リソースを観測する。したがって、無線端末は、たとえば、共通のページングシグナリングリソースを共有することがたまたま起こる他の無線端末へ相当する、他の無線端末に対応する１つ又はそれ以上ページング指標信号の測定及び／又は測定に応じて、ページング指標信号及び／又はページング信号の送信を生じること及び断念することを決定し得、時々する。
【０１３０】
１つのシナリオにおいて、意図されるページングイニシエータは、ページングされるための機器を識別し、意図されるページング指標信号を運ぶために使用され得るページング指標リソースブロックにおいて識別のページング指標リソースを識別し、意図されるページング指標信号を運ぶために使用され得るページング指標リソースブロックにおいてシンボルを識別する。
【０１３１】
意図されるページングイニシエータは、送信のために使用され得るシンボルよりも先に行くページング指標リソースにおいてシンボルを監視する。意図されるページングイニシエータは、いくつの他のページング指標信号が、それが意図されるページング指標信号を送信するために使用し得るページング指標シンボルの前の現在のページング指標リソースブロックにおける他の機器によってすでに送信されているかを観測し計数する。いくつかの実施例において、ページングシグナリングリソースが取り扱うことができるものより多くの外へ出されるページング指標信号がすでにある場合、そのとき無線端末は、たとえばタイムアウト機械に従って、いくつかのより遅いページングスロットへのページング指標信号の送信を延期し得、ときどきする。ページング指標信号を送信するか否かのこの決定は、たとえば、観測されるページング指標信号の数、観測されるページング指標信号強度、観測される信号状況に基づく予期されるページング成功率上の統計上の情報、このページによってすでにこうむる待ち時間、このページの緊急などのような多数の因子に基づくことができ、ときどき基づく。いくつかの実施例において、ページの緊急は、アプリケーションに基づく。様々な実施例において、無線端末がページング指標信号を送信しない場合、それは、ページング信号も送信しないだろうことは注意する。
【０１３２】
いくつかの実施例において、ページング指標リソースブロックは、各シンボル上でＭ個のトーンを持つＮ個のＯＦＤＭシンボル、たとえば、Ｎ×Ｍ  ＯＦＤＭトーンシンボル、を含む。１つの例示の実施例において、ページング指標リソースブロックは、８個のＯＦＤＭシンボル及び５６個のトーンを含む。いくつかの実施例において、個々のページング指標リソースは、単一のＯＦＤＭトーンシンボルであり、そのとき例示のページング指標リソースブロックは、４４８個の個々のページング指標リソースを含む。例示のページング指標リソースブロックにおいて、ＯＦＤＭシンボル索引レンジは、０．．７であり、トーン索引レンジは、０．．５５であることを考慮する。
【０１３３】
いくつかの実施例において、個々のページング指標リソース、たとえば、ページング指標リソースブロックにおける単一のＯＦＤＭトーンシンボル、は、ページングされ得る無線端末に対応する。いくつかの実施例において、ページング指標信号は、単一のシンボル送信時間間隔中に予め決められたエネルギーレベルで送信される単一のトーン信号である。様々な実施例において、無線端末は、単一のシンボルにおける単一のトーン上のエネルギーの相当な量を測定することによってページング指標信号を検知し、たとえば、単一のＯＦＤＭトーンシンボル上で受信される信号の測定される信号強度は、予め決められた閾値レベルより大きい。いくつかの実施例において、無線端末は、受信されるページング指標信号が、識別のページング指標リソース、たとえば、識別のＯＦＤＭトーンシンボルを識別することによって向けられる機器を識別し、ここでそれは、ページング指標信号が受信され、識別の機器識別子へ、ページング指標リソースブロックにおける識別のページング指標リソースを割り当てる予め決められた情報を使用していた。いくつかの実施例において、識別の無線端末に対応するページング指標リソースは、たとえば、無線端末へ知られている予め決められた情報に従った、時間及び／又はページングスロット数の結果である。
【０１３４】
無線端末Ａ、たとえば、モバイルＡ、は、無線端末Ｂ、たとえば、モバイルＢをページングしたいと仮定する。無線端末Ａは、無線端末Ｂに対応するページング指標リソース、たとえば、ＯＦＤＭトーンシンボル、を使用してページング指標信号を送信するべきである。たとえば、無線端末Ｂに対応するＯＦＤＭトーンシンボルが、ページング指標リソースブロック、たとえば、トーン索引値＝５及びシンボル索引値＝２、の第３ＯＦＤＭシンボルにおいて生じることを考える。無線端末Ｂは、それが無線端末Ｂへ向けられるページング指標信号を受信することを予期するページング指標リソースで相当のエネルギーに関して監視し及び検知するだろうし、たとえば、それは、トーン索引値＝５及びシンボル索引値＝２を持つリソースを監視する。
【０１３５】
他のページング活動に気づかず、単純に進み、無線端末Ｂへページング指標信号を送信する無線端末Ａのかわりに、いくつかの実施例において、無線端末Ａは、他のページング活動を考慮し、他のページに応じ得、ときどきする。無線端末Ａは、シンボル０−１を観測し、ページング信号が、たとえば、同一のページングシグナリングリソースに相当する、他の無線端末によって送信されている回数を計数する。無線端末Ａがページングシグナリングチャンネル性能についてのいくつかの統計上の知識を持つこと、たとえば、同一のページングリソースを共有する２０以上のそれらがある場合、ページング信号の半分が通り抜けるだろうことを考える。そのとき無線端末Ａは、それが、たとえば、そのページング指標観測及び／又はページング性能上の統計上の情報に基づいて、現在のページングスロットにおいて無線端末Ｂへその意図されるページング指標信号を送信するだろうか否かの決定を行う。この例示のケースにおいて、ページング指標信号の暗黙の優先順位は、ページング指標信号が送信されるべきシンボルのオーダによって仄めかされる。様々な実施例において、識別の無線端末に対応するページングシグナリングリソースは、たとえば、あらかじめ決められたマッピングに従って、１つのページングスロットから他の物へ変化することができ、ときどきする。この方法において、無線端末は、タイミング構造の異なる時間スロットにおいて異なるページング優先順位を持つことができる。
【０１３６】
他の実施例において、ページングイニシアテイング無線端末は、ページング指標信号の送信を続け、たとえば、それがページング指標信号を送信していないページング指標リソースにおいてシンボルのそれぞれに対応する、ページング指標信号を観測した後、ページングシグナリングリソースにおいて送信されるか否かの決定を行う。いくつかのその様な実施例において、ページング指標信号は、ページのいくつかの優先順位ビットを明白に伝達し、ここでそれは、たとえば、符号化される情報として、ページング指標信号において含まれる。たとえば、１つのその様な実施例において、ページは、最も高い優先順位を持つ４及び最も低い優先順位を持つ１を持つ、４つの優先順位レベルであり得る。いくつかのその様な実施例において、明白に伝達されるページ優先順位は、アプリケーションの結果として決定される。いくつかの実施例において、ページング指標信号は、２ビット優先順位を伝達するため同一のＯＦＤＭシンボル上で２つの隣接したトーンを使用する。したがって、いくつかのその様な実施例において、個々のページング指標リソースは、同一のＯＦＤＭシンボルにおいて２つの隣接したＯＦＤＭトーンシンボルを含む。加えて、いくつかの実施例において、ページング指標シンボルのオーダは、同一の明白な優先順位ビットを持つページング指標信号の周りの暗黙の優先順位指標としてまだ努めることができる。
【０１３７】
いくつかの実施例において、ページングイニシエータは、たとえば、半二重限界のため、それが送信のための使用しているもの以外のＯＦＤＭのそれぞれ上のページング指標信号に関して監視する。ページング指標シグナリング時間間隔の最後で、ページングイニシエータは、ページングシグナリングリソースにおいてページング信号を送信するか否かの決定を行う。いくつかの実施例において、決定は、それ自身のページング優先順位、より高い優先順位を持つ観測されるページング指標信号の数、それがページング指標信号を送信するために使用したシンボルの前であるが同一の優先順位を持つ観測されるページング指標信号の数、観測される指標信号強度、観測される信号状況の基づくページング成功率上の統計上の情報、及び、このページによってすでに被られる待ち時間などに基づく。
【０１３８】
いくつかの実施例において、ページング宛て先、即ち、純粋な受信機、のため、ページング指標時間間隔中に、無線端末は、ページング指標信号のそれぞれを観測することができ、ときどきし、ページング指標信号が無線端末へ向けられる場合、無線端末は、送信するか否かの決定に関連して上に記述されるのと同一の決定行為に基づいてページングシグナリングリソースにおいて受信されるか否かの決定を行う。無線端末が受信しないことを決定する場合、それは、ページングシグナリング間隔中に休止しようとししたがってエネルギーを保存することができ、ときどきする。
【０１３９】
ページングリソースにおいて、ページング宛て先無線端末はまた、その信号及び、それがページング無線端末へ送り返すと思われるそのページング応答信号への干渉の数及び強度を推定するもでき、ときどきする。いくつかの実施例において、無線端末がページング信号を受信し、情報、たとえば、ページングリクエストを伝達するページングメッセージ、を正確に回復する場合でさえ、たとえば、統計上の情報が、ページングイニシアテイング無線端末が、超過の干渉のせいで、高い可能性を持つ正確な応答を復号化することができることを期待されないことを示す場合、無線端末は、このページングスロットのためページング応答を送り返さないことを申し出得、ときどきする。
【０１４０】
いくつかの実施例において、ページング指標信号は、クイックページング信号と呼ばれ、ページング志納は、フルページングチャンネル信号を呼ばれ、及び、ページング応答信号は、フルページングチャンネルレスポンス信号と呼ばれる。
【０１４１】
様々な実施例の技術は、ソフトウェア、ハードウェア、及び／又はソフトウェア並びにハードウェアの組み合わせを使用して実施され得る。様々な実施例は、装置、たとえば、モバイル端末のようなモバイルノード、基地局、通信システム、へ向けられる。様々な実施例はまた、方法、たとえば、モバイルノード、基地局及び又は通信システム、たとえば、ホスト、を制御及び／又は動作させる方法、へ向けられる。様々な実施例はまた、１つ又はそれ以上の方法のステップを実施するように機械を制御するための機械可読媒体命令を含む機械、たとえば、コンピュータ可読媒体、たとえば、ＲＯＭ、ＲＡＭ、ＣＤ、ハードディスクなど、に向けられる。
【０１４２】
記述されるプロセスにおけるステップの識別の順序又は階級組織は、例示のアプローチの例であることは理解される。デザイン性能に基づいて、プロセスにおけるステップの識別の順序又は階級組織は、本開示の範囲内を維持しながら再整理され得ることは理解される。伴う方法は、例示の順序における様々なステップの本要素を主張し、表現される識別の順序又は階級組織へ限定されることを意味されない。
【０１４３】
様々な実施例において、本文中に記述されるノードは、１つ又はそれ以上の方法に相当するステップ、たとえば、信号処理、信号生成及び／又は送信ステップ、を実行するための１つ又はそれ以上のモジュールを使用して実施される。したがって、いくつかの実施例において、様々な特徴は、モジュールを使用して実施される。その様なモジュールは、ソフトウェア、ハードウェア又はソフトウェア及びハードウェアの組み合わせを使用して実施され得る。上に記述される方法又は方法ステップの多くは、たとえば、１つ又はそれ以上のノードにおいて、機械、たとえば、追加のハードウェアを持つ又は持たない汎用コンピュータに、上に記述される方法の全て又は一部を実施させるため、メモリ機器、たとえば、ＲＡＭ、フロッピー（登録商標）ディスクなど、のような機械可読媒体において含まれる、ソフトウェアのような、機械実行命令を使用して実施されることができる。したがって、他の物の中で、様々な実施例は、機械、たとえば、プロセッサ及び関連するハードウェア、に、上に記述される（複数の）方法のステップの１つ又はそれ以上を実行させるための機械実行命令を含む機械可読媒体へ向けられる。いくつかの実施例は、発明の１つ又はそれ以上の方法のステップの１つ、複数、又は全てを実施するために構成されるプロセッサを含む機器、たとえば、通信ノードへ向けられる。
【０１４４】
いくつかの実施例において、プロセッサ、又は、１つ若しくはそれ以上の機器、たとえば、アクセスノード及び／又は無線端末のような通信ノード、のプロセッサ、たとえば、ＣＰＵ、は、通信ノードによって実行されることとして記述される方法のステップを実行するために設定される。プロセッサの設定は、プロセッサ設定を制御するための１つ又はそれ以上のモジュール、たとえば、ソフトウェアモジュール、を使用することによって、及び／又は、列挙されるステップ及び／又は制御プロセッサ設定を実行するためのプロセッサ、たとえば、ハードウェアモジュール、におけるハードウェアを含むことによって、達成され得る。したがって、いつくかのしかし全てではない実施例は、プロセッサが含まれる機器によって実行される様々な記述される方法のステップのそれぞれに対応するモジュールを含むプロセッサを持つ機器、たとえば、通信ノード、へ向けられる。いくつかのしかし全てでない実施例において、機器、たとえば、通信ノード、は、プロセッサを含む機器によって実行される様々な記述される方法のステップのそれぞれに対応するモジュールを含む。モジュールは、ソフトウェア及び／又はハードウェアを使用して実施され得る。
【０１４５】
いくかの実施例は、コンピュータ、又は多数のコンピュータ、に、様々な機能、ステップ、行為及び／又は動作、たとえば、上に記述される１つ又はそれ以上のステップ、を実施させるためのコードを備えるコンピュータ可読媒体を備えるコンピュータプグラム製品へ向けられる。実施例に基づいて、コンピュータプログラム製品は、実施されるための各ステップのための異なるコードを含むことができ、ときどきする。したがって、コンピュータプログラム製品は、方法、たとえば、通信機器又はノードを制御することの方法、の各個々のステップのためのコードを含み得、ときどきする。コードは、ＲＡＭ（ランダムアクセスメモリ）、ＲＯＭ（リードオンリーメモリ）又は他のタイプの記録機器のような機械、たとえば、コンピュータ、実行可能命令の形式においてあり得る。コンピュータプログラム製品へ向けられることに加えて、いくつかの実施例は、上に記述される１つ又はそれ以上の方法の様々な機能、ステップ、行為、及び／又は動作の１つ又はそれ以上を実施するために構成されるプロセッサへ向けられる。したがって、いくつかの実施例は、本文中に記述される方法のステップのいくつか又は全てを実施するために構成されるプロセッサ、たとえば、ＣＰＵ、へ向けられる。プロセッサは、たとえば、本出願において記述される通信機器又は他の機器における使用のためであり得る。
【０１４６】
ＯＦＤＭシステムの背景において記述されるが、様々な実施例の方法及び装置の少なくともいくつかは、多くのノンＯＦＤＭ及び／又はノンセルラシステムを含む通信システムの広い範囲へ適用可能である。
【０１４７】
上に記述される様々な実施例の方法及び装置上の多数の追加のバリエーションは、上の記述の点において当業者に明白だろう。その様なバリエーションは、範囲内で考察されるべきである。方法及び装置は、ＣＤＭＡ、直交周波数分割多元（ＯＦＤＭ）、及び／又は、通信機器間の無線通信リンクを供給するために使用され得る様々な他のタイプの通信技術とともに使用され得、様々な実施例においてされる。いくつかの実施例において、１つ又はそれ以上の通信機器は、ＯＦＤＭ及び／又はＣＤＭＡを使用するモバイルノードを持つ通信リンクを設立し及び／又は無線通信リンクを通じてインターネット若しくは他のネットワークへのコネクティビティを居休し得るアクセスポイントとして実施される。様々な実施例において、モバイルノードは、方法を実施するための、ノートブックコンピュータ、携帯情報端末（ＰＤＡ）又は、受信機／送信器回路及びロジック並びに／若しくはルーチンを含む他のポータブル機器として実施される。
以下に本件出願当初の特許請求の範囲に記載された発明を付記する。
［１］無線端末を動作させる方法であって、
ページング指標信号を伝達するために使用されるページング指標リソースのセットの一部を監視することであって、ここで、個々のページング指標リソースは１つ又はそれ以上の相当する機器へ割り当てる、監視することと、
ページング指標リソースの前記セットの前記監視される部分上で検知されるページング指標信号の数を決定することと、
検知されるページング指標信号の前記決定される数に基づいてページング指標信号を送信するか否かの決定を行うことと、
を備える方法。
［２］ページング信号が送信されるべきである場合に使用されるためのページングシグナリングリソースに相当するページング指標リソース上で伝達される信号のエネルギーを測定することと、をさらに備える、［１］に記載の方法。
［３］ページング指標信号を送信するか否かの前記決定はまた前記測定されるエネルギーに基づく、［２］に記載の方法。
［４］ページング指標信号を送信するか否かの前記決定は、ページング成功の可能性を示す格納される統計上の情報にさらに基づく、［３］に記載の方法。
［５］ページング指標信号をするか否かの前記決定は、無線端末が、無線端末がページングしようとする機器へページング指標信号を送信することを待っている時間の量にさらに基づく、［３］に記載の方法。
［６］多数のページング指標リソースは同一のページングシグナリングリソースに相当し、ここで、前記多数のページング指標リソースの少なくともいくつかは異なる送信時間スロットにおいて生じる同一のページングシグナリングリソースに相当し、前記異なる送信時間スロットの少なくとも１つは、前記監視することの後に続く、［１］に記載の方法。
［７］ページング指標信号を伝達するために使用されるページング指標リソースのセットの一部を監視するための手段であって、ここで、個々のページング指標リソースは１つ又はそれ以上の相当する機器へ割り当てる、手段と、
ページング指標リソースの前記セットの前記監視される部分上で検知されるページング指標信号の数を決定するための手段と、
検知されるページング指標信号の前記決定される数に基づいてページング指標信号を送信する否かの決定を行うための手段と、
を備える無線端末。
［８］ページング信号が送信されるべき場合に使用されるページングシグナリングリソースに相当するページング指標リソース上で伝達される信号のエネルギーを測定するための手段と、をさらに備える［７］に記載の無線端末。
［９］ページング指標信号を送信するか否かの前記決定はまた、前記測定されるエネルギーに基づく、［８］に記載の無線端末。
［１０］ページング指標信号を送信するか否かの前記決定は、ページング成功の可能性を示す格納される統計上の情報にさらに基づく、［９］に記載の無線端末。
［１１］無線端末における使用のためのコンピュータプログラム製品において、
少なくとも１つのコンピュータに、ページング指標信号を伝達するために使用されるページング指標リソースのセットの一部を監視させるためのコードであって、ここで、個々のページング指標リソースは１つ又はそれ以上の相当する機器へ割り当てる、コードと、
前記少なくとも１つのコンピュータに、ページング指標リソースの前記セットの前記監視される部分上で検知されるページング指標信号の数を決定させるためのコードと、
前記少なくとも１つのコンピュータに、検知されるページング指標信号の前記決定される数に基づいてページング指標信号を送信するか否かの決定をさせるためのコードと、
を備えるコンピュータ可読媒体を
備えるコンピュータプログラム製品。
［１２］ページング指標信号を伝達するために使用されるページング指標リソースのセットの一部を監視するためであって、ここで、個々のページング指標リソースは１つ又はそれ以上相当する機器を割り当てる、監視するためと、
ページング指標リソースの前記セットの前記監視される部分上で検知されるページング指標信号の数を決定するためと、
検知されるページング指標信号の決定される数に基づいてページング指標信号を送信するか否かの決定を行うために、
構成される少なくとも１つのプロセッサと、
前記少なくとも１つのプロセッサに接続されるメモリと、
を備える無線端末。
［１３］前記少なくとも１つのプロセッサは、ページング信号が送信されるべきである場合に使用されるページングシグナリングリソースに相当するページング指標リソース上で伝達される信号のエネルギーを測定するためにさらに構成される、［１２］に記載の無線端末。
［１４］前記少なくとも１つのプロセッサは、前記測定されるエネルギーに、ページング指標信号を送信するか否かの決定を基づかせるために構成される、［１３］に記載の無線端末。
［１５］前記少なくとも１つのプロセッサは、ページング成功の可能性を示す格納される統計上の情報に、ページング指標信号を送信するか否かの前記決定を基づかせるためにさらに構成される、［１４］に記載の無線端末。
［１６］無線端末を動作させる方法であって、
ページング指標信号を送信することにおいて使用するためのページング指標リソースを識別することと、
前記識別されるページング指標リソース上でページング指標信号を送信することと、
前記識別されるページング指標リソースに相当するページングシグナリングリソースを使用するページング信号を送信するか否かの決定を行うことと、
を備える方法。
［１７］前記ページング信号を送信するか否かの決定を行うことは、決定されるページ優先順位に基づく、［１６］に記載の方法。
［１８］前記ページングシグナリングリソースに相当する追加のページング指標リソース上で他の機器によって送信されるページング指標信号を受信することと、
前記決定されるページ優先順位よりも高い優先順位を持つ前記受信されるページング指標信号の数を計数することと、
をさらに備え、
ページング信号を送信するか否かの決定を行うことはまた、前記決定されるページ優先順位よりも高い優先順位を持つ受信されるページング指標信号の前記計数される数に基づく、［１７］に記載の方法。
［１９］前記ページングシグナリングリソースに相当する追加のページング指標リソース上で他の機器によって送信されるページング指標信号を受信することと、
前記決定されるページ優先順位と同一であり、前記ページング指標信号が送信されるページング指標リソースブロックにおいて前記ページング指標信号の送信の前に受信される優先順位を持つ前記受信される指標信号の数を計数することと、
を備え、
ページング信号を送信するか否かの決定を行うことはまた、前記決定されるページ優先順位と同一である優先順位を持つ受信されるページング指標信号の前記計数される数に基づく、［１７］に記載の方法。
［２０］前記ページングシグナリングリソースに相当する追加のページング指標リソース上で他の機器によって受信されるページング指標信号を受信することと、
を備え、
ページング信号を送信するか否かの決定を行うことは、前記ページングシグナリングリソースに相当する追加のページング指標リソース上で他の機器によって送信される検知されるページング指標信号の前記受信される信号の強度に基づく、［１６］に記載の方法。
［２１］ページング信号を送信するか否かの決定を行うことは、ページング信号が観測される信号状況に基づいて送信される場合予期されるページングに関する統計上の情報に基づく、［１６］に記載の方法。
［２２］ページング指標信号を送信することにおいて使用されるためのページング指標リソースを識別するための手段と、
前記識別されるページング指標リソース上でページング指標信号を送信するための手段と、
前記識別されるページング指標リソースに沿うとするページングシグナリングリソースを使用するページング信号を送信するか否かの決定を行うための手段と、
を備える無線端末。
［２３］前記ページング信号を送信するか否かの決定を行うための前記手段は、前記決定を決定されるページ優先順位に基づかせる、［２２］に記載の無線端末。
［２４］前記ページングシグナリングリソースに沿うとする追加のページング指標リソース上で他の機器によって送信されるページング指標信号を受信するための手段と、
前記決定されるページ優先順位より高い優先順位を持つ前記受信されるページング指標信号の数を計数するための手段と、
をさらに備え、
ページング信号を送信するか否かの決定を行うための前記手段は、前記決定を、前記決定されるページ優先順位よりも高い優先順位を持つ受信されるページング指標信号の前記計数される数に基づかせる、［２３］に記載の無線端末。
［２５］前記ページングシグナリングリソースに相当する追加のページング指標リソース上で他の機器によって送信されるページング指標信号を受信するための手段と、
前記決定されるページ優先順値と同一であり、前記ページング指標信号が送信されるページング指標リソースブロックにおいて前記ページング指標信号の送信の前に受信される優先順位を持つ前記受信されるページング指標信号の数を計数するための手段と、
をさらに備え、
ページング信号を送信するか否かの決定を行うための前記手段は、その決定を、前記決定されるページ優先順位を同一である優先順位を持つ受信されるページング指標信号の前記計数される数に基づかせる、［２３］に記載の無線端末。
［２６］無線端末における使用のためのコンピュータプログラム製品であって、
少なくとも１つのコンピュータに、ページング指標信号を送信することにおいて使用するためのページング指標リソースを識別させるためのコードと、
前記少なくとも１つのコンピュータに、前記識別されるページング指標リソース上でページング指標信号を送信させるためのコードと、
前記少なくとも１つのコンピュータに、前記識別されるページング指標リソースに相当するページングシグナリングリソースを使用するページング信号を送信するか否かの決定を行わせるためのコードと、
を備えるコンピュータ可読媒体を
備えるコンピュータプログラム製品。
［２７］ページング指標信号を送信することにおいて使用するためのページング指標リソースを識別するためと、
前記識別されるページング指標リソース上でページング指標信号を送信するためと、
前記識別されるページング指標リソースに相当するページング指標シグナリングリソースを使用するページング信号を送信するか否かの決定を行うために、
構成される少なくとも１つのプロセッサと、
前記少なくとも１つのプロセッサと接続されるメモリと、
を備える無線端末。
［２８］前記少なくとも１つのプロセッサは、前記ページング信号を送信するか否かの決定を行うために構成されることの一部として、ページング信号を送信するか否かの前記決定を、決定されるページ優先順位に基づかせるために構成される、［２７］に記載の無線端末。
［２９］前記少なくとも１つのプロセッサは、
前記ページングシグナリングリソースに相当する追加のページング指標リソース上で他の機器によって送信されるページング指標信号を受信するためと、
前記決定されるページ優先順位よりも高い優先順位を持つ前記受信されるページング指標信号の数を計数するために、
さらに構成され、
前記少なくとも１つのプロセッサは、ページング信号を送信するか否かの決定を行うために構成されることの一部として、ページング信号を送信するか否かの前記決定を、前記決定されるページ優先順ウィよりも高い優先順位を持つ受信されるページング指標信号の前記計数される数に基づかせる、［２８］に記載の無線端末。
［３０］前記少なくとも１つのプロセッサは、
前記ページングシグナリングリソースに相当する追加のページング指標リソース上で他の機器によって送信されるページング指標信号を受信するためと、
前記決定されるページ優先順位と同一であり、前記ページング指標信号が送信されるページング指標リソースブロックにおいて前記ページング指標信号の送信の前に受信される優先順位を持つ前記受信されるページング指標信号の数を計数するために、
さらに構成され、
前記少なくとも１つのプロセッサは、ページング信号を送信するか否かを決定するために構成されることの一部として、ページング信号を送信するか否かの決定を、前記決定されるページ優先順位と同一の優先順位を持つ受信されるページング指標信号の前記計数される数に基づかせる、［２８］に記載の無線端末。
【図１】
0005529332.tif 000002
【図２】
0005529332.tif 000003
【図２Ａ】
0005529332.tif 000004
【図２Ｂ】
0005529332.tif 000005
【図２Ｃ】
0005529332.tif 000006
【図３】
0005529332.tif 000007
【図４】
0005529332.tif 000008
【図４Ａ】
0005529332.tif 000009
【図４Ｂ】
0005529332.tif 000010
【図４Ｃ】
0005529332.tif 000011
【図５】
0005529332.tif 000012
【図６】
0005529332.tif 000013
【図７】
0005529332.tif 000014
【図８】
0005529332.tif 000015
【図９】
0005529332.tif 000016
【図１０】
0005529332.tif 000017
【図１０Ａ】
0005529332.tif 000018
【図１０Ｂ】
0005529332.tif 000019
【図１１】
0005529332.tif 000020
【図１２】
0005529332.tif 000021
【図１２Ａ】
0005529332.tif 000022
【図１２Ｂ】
0005529332.tif 000023
【図１３】
0005529332.tif 000024
【図１４】
0005529332.tif 000025
【図１５】
0005529332.tif 000026
【図１６】
0005529332.tif 000027
【図１７】
0005529332.tif 000028
【図１８】
0005529332.tif 000029
【図１８Ａ】
0005529332.tif 000030
【図１８Ｂ】
0005529332.tif 000031
【図１８Ｃ】
0005529332.tif 000032
【図１８Ｄ】
0005529332.tif 000033
【図１８Ｅ】
0005529332.tif 000034
【図１８Ｆ】
0005529332.tif 000035
【図１８Ｇ】
0005529332.tif 000036